(57)【要約】  本明細書には、回転子デバイス、システム、およびキットを対象とする様々な実施形態が記載される。本明細書に開示された回転子の実施形態を使用して、流体の１つ以上の分析対象物を特性化し得る。装置は、実質的に透明である第１の層を含み得る。第２の層が、第１の層に連結され得る。第２の層は、赤外線放射に対して実質的に吸収性であり得る。第２の層および第１の層は、ウェルセットを集合的に画定し得る。第１の層は、ウェルセットの各ウェルの基部を画定し得る。第２の層は、ウェルセットの各ウェルの開口部を画定し得る。第１の層および第２の層のうちの少なくとも１つは、ウェルセットの各ウェルの側壁を画定し得る。【選択図】図１Ａ
2021535372.tif 000002
【特許請求の範囲】
【請求項１】
装置であって、
実質的に透明である第１の層と、
前記第１の層に連結された第２の層であって、前記第２の層が、赤外線放射に対して実質的に吸収性である、第２の層と、を備え、
前記第２の層および前記第１の層が、ウェルセットを集合的に画定し、前記第１の層が、前記ウェルセットの各ウェルの基部を画定し、前記第２の層が、前記ウェルセットの各ウェルの開口部を画定し、前記第１の層および前記第２の層のうちの少なくとも１つが、前記ウェルセットの各ウェルの側壁を画定する、装置。
【請求項２】
前記第２の層に連結された第３の層をさらに備え、前記第３の層が、流体を受け取るように構成されたポートを画定し、前記第３の層が、実質的に透明であり、チャネルが、前記ポートと前記ウェルセットとの間の流体連通路を確立する、請求項１に記載の装置。
【請求項３】
前記第１の層および前記第３の層が、各々独立して透明である、請求項２に記載の装置。
【請求項４】
実質的に透明であることが、紫外線、可視光、および赤外線放射のうちの少なくとも１つの光透過を含む、請求項１に記載の装置。
【請求項５】
前記第２の層が、中間赤外線放射および近赤外線放射のうちの少なくとも１つに対して実質的に吸収性である、請求項１に記載の装置。
【請求項６】
赤外線放射に対して実質的に吸収性であることが、前記第１の層の一部分を固相から溶融相に遷移させるのに十分な量の赤外線放射を所定の期間内に吸収することを含む、請求項１に記載の装置。
【請求項７】
前記第２の層が、９４０ｎｍの波長の放射に対して実質的に吸収性である、請求項１に記載の装置。
【請求項８】
前記ウェルセットの各ウェルの前記開口部の直径が、前記ウェルセットの各ウェルの前記基部の直径よりも大きい、請求項１に記載の装置。
【請求項９】
前記ウェルセットの各ウェルの前記側壁が、第１の側壁部分および第２の側壁部分を含み、前記第１の側壁部分が、そのウェルの前記基部と前記第２の側壁部分との間に形成されており、そのウェルの前記第２の側壁部分のテーパが、そのウェルの前記第１の側壁部分のテーパよりも大きい、請求項１に記載の装置。
【請求項１０】
そのウェルの前記第１の側壁部分が、最大約２°のテーパを含む、請求項９に記載の装置。
【請求項１１】
そのウェルの前記第２の側壁部分が、約３°〜約９°のテーパを含む、請求項９に記載の装置。
【請求項１２】
前記ウェルセットの各ウェルの前記開口部が、最大約２°のテーパを含む、請求項１に記載の装置。
【請求項１３】
そのウェルの前記第１の側壁部分、そのウェルの前記第２の側壁部分、およびそのウェルの前記開口部のうちの少なくとも１つが、射出成形のためのシャットオフとして集合的に構成され得る、請求項９に記載の装置。
【請求項１４】
前記ウェルセットの少なくとも１つのウェル中に配設された凍結乾燥試薬をさらに備える、請求項１に記載の装置。
【請求項１５】
前記第２の層が、インレットセットを画定し、前記インレットセットの各インレットが、前記ウェルセットの異なるウェルに対応し、前記インレットセットの各インレットが、前記開口部と前記インレットの対応するウェルとの間の流体連通路を確立する、請求項１に記載の装置。
【請求項１６】
前記インレットセットが、第１のインレットサブセットおよび第２のインレットサブセットを含み、前記第１のインレットサブセットの各インレットの幅が、前記第２のインレットサブセットの各インレットの幅とは異なる、請求項１５に記載の装置。
【請求項１７】
前記第１のインレットサブセットが、前記装置の３，０００回転／分（ＲＰＭ）を上回る回転中における双方向流体流のために構成されている、請求項１６に記載の装置。
【請求項１８】
前記第２のインレットサブセットが、前記装置の約１００回転／分（ＲＰＭ）〜約４，０００ＲＰＭの回転中における双方向流体流のために構成されている、請求項１６に記載の装置。
【請求項１９】
前記双方向流体流が、第１の方向の液相流および第２の方向の気相流を含む、請求項１７または１８に記載の装置。
【請求項２０】
前記第２の層が、流体を受け取るように構成された第１の端部と、前記第１の端部とは反対側の第２の端部と、を有するチャネルを画定し、前記第２のインレットサブセットが、前記第２の端部よりも前記第１の端部に近い位置にある、請求項１６に記載の装置。
【請求項２１】
前記第２のインレットサブセットの各インレットの幅が、約０．２５ｍｍ〜約３．０ｍｍである、請求項１５に記載の装置。
【請求項２２】
装置であって、
実質的に透明である第１の層と、
前記第１の層に連結された第２の層であって、前記第２の層が、弧状空洞を少なくとも部分的に画定し、前記第２の層が、赤外線放射に対して実質的に吸収性であり、前記第２の層および前記第１の層が、ウェルセットを集合的に画定する、第２の層と、
前記第２の層に連結された第３の層であって、前記第３の層が、流体を受け取るように構成された開口部を画定し、前記第３の層が、実質的に透明であり、前記弧状空洞が、前記開口部と前記ウェルセットとの間の流体連通のために構成されている、第３の層と、を備える、装置。
【請求項２３】
前記弧状空洞が、約０．８〜約１．２の幅対深さ比を有する、請求項２３に記載の装置。
【請求項２４】
前記弧状空洞の幅が、前記弧状空洞の長さに沿って狭まる、請求項２３に記載の装置。
【請求項２５】
前記弧状空洞が、試薬を含む、請求項２３に記載の装置。
【請求項２６】
前記弧状空洞に連結されたサイフォンをさらに備える、請求項１に記載の装置。
【請求項２７】
前記サイフォンが、Ｕ字形状の部分を含む、請求項２６に記載の装置。
【請求項２８】
前記Ｕ字形状の部分は、前記装置が回転しているときに、前記弧状空洞中の流体が前記Ｕ字形状の部分を通って流れないように構成されている、請求項２７に記載の装置。
【請求項２９】
装置であって、
実質的に透明である第１の層と、
前記第１の層に連結された第２の層であって、前記第２の層が、赤外線放射に対して実質的に吸収性であり、前記第２の層および前記第１の層が、ウェルセットを集合的に画定し、前記第２の層が、突起セットを含む、第２の層と、
前記第２の層に連結された第３の層であって、前記第３の層が、流体を受け取るように構成された開口部を画定し、前記第３の層が、実質的に透明である、第３の層と、を備える、装置。
【請求項３０】
使用中の質量中心および回転軸を画定し、前記質量中心が、前記回転軸から約０．１ｍｍ〜約１．０ｍｍだけずれている、請求項２９に記載の装置。
【請求項３１】
前記第２の層が、前記第２の層上に陥凹セットを画定する、請求項２９に記載の装置。
【請求項３２】
前記突起セットが、平行かつ弧状である、請求項２９に記載の装置。
【請求項３３】
前記陥凹セットが、平行かつ弧状である、請求項２９に記載の装置。
【請求項３４】
装置であって、
実質的に透明である第１の層と、
前記第１の層に連結された第２の層であって、前記第２の層が、赤外線放射に対して実質的に吸収性であり、前記第２の層が、空洞を画定し、前記第２の層および前記第１の層が、ウェルセットを集合的に画定する、第２の層と、
前記空洞内で滑動可能な容器と、
前記第２の層と前記容器との間の前記空洞中に配設されたエラストマシールと、を備える、装置。
【請求項３５】
前記容器が、前記容器の周縁の少なくとも一部分に沿ったエラストマシールを含む、請求項３４に記載の装置。
【請求項３６】
前記エラストマシールが、前記第２の層に連結されている、請求項３４に記載の装置。
【請求項３７】
前記エラストマシールが、前記容器に連結されている、請求項３４に記載の装置。
【請求項３８】
エラストマシールおよび前記容器が、前記第２の層に対して干渉嵌合を形成する、請求項３４に記載の装置。
【請求項３９】
前記容器が、流体および試薬のうちの１つ以上を保持する、請求項３４に記載の装置。
【請求項４０】
前記容器および前記空洞が、円筒形である、請求項３４に記載の装置。
【請求項４１】
反射器セットをさらに備え、前記反射器セットの各反射器が、前記ウェルセットの隣接するウェル間に配設されている、請求項３４に記載の装置。
【請求項４２】
前記反射器セットの各反射器が、第１の角度で光ビームを受け取り、かつ前記光ビームを前記第１の角度に対して実質的に垂直な方向に反射するように構成されている、請求項４１に記載の装置。
【請求項４３】
前記反射器セットの各反射器が、プリズム形状の空洞を画定する、請求項４１に記載の装置。
【請求項４４】
前記反射器セットの各プリズム形状の空洞の表面の上に配設されたポリッシュをさらに備える、請求項４３に記載の装置。
【請求項４５】
前記ポリッシュが、平均約０〜約３の表面粗さを含む、請求項４４に記載の装置。
【請求項４６】
装置であって、
実質的に透明である第１の層と、
前記第１の層の表面上に配設された第２の層であって、前記第２の層が、赤外線放射に対して実質的に吸収性であり、前記第１の層が、ウェルセットを画定し、前記ウェルセットの各ウェルが、基部および側壁を画定し、前記第２の層が、前記ウェルセットの各ウェルのウェル開口部を画定する、第２の層と、を備える、装置。
【請求項４７】
前記第２の層に連結された第３の層をさらに備え、前記第３の層が、流体を受け取るように構成されたポートを画定し、前記第３の層が、実質的に透明であり、チャネルが、前記ポートと前記ウェルセットとの間の流体連通路を確立する、請求項４６に記載の装置。
【請求項４８】
実質的に透明であることが、紫外線、可視光、および赤外線放射のうちの少なくとも１つの光透過を含む、請求項４７に記載の装置。
【請求項４９】
前記第２の層が、中間赤外線放射および近赤外線放射のうちの少なくとも１つに対して実質的に吸収性である、請求項４６に記載の装置。
【請求項５０】
赤外線放射に対して実質的に吸収性であることが、前記第１の層の一部分を固相から溶融相に遷移させるのに十分な量の赤外線放射を所定の期間内に吸収することを含む、請求項４９に記載の装置。
【請求項５１】
前記第２の層が、９４０ｎｍの波長の放射に対して実質的に吸収性である、請求項４６に記載の装置。
【請求項５２】
前記ウェルセットの少なくとも１つのウェル中に配設された凍結乾燥試薬をさらに備える、請求項４６に記載の装置。
【請求項５３】
前記第１の層および前記第３の層が、各々独立して透明である、請求項４７に記載の装置。
【請求項５４】
前記第２の層が、インレットセットを画定し、前記インレットセットの各インレットが、前記ウェルセットの異なるウェルに対応し、前記インレットセットの各インレットが、前記開口部と前記インレットの対応するウェルとの間の前記流体連通路を確立する、請求項４６に記載の装置。
【請求項５５】
前記インレットセットが、第１のインレットサブセットおよび第２のインレットサブセットを含み、前記第１のインレットサブセットの各インレットの幅が、前記第２のインレットサブセットの各インレットの幅とは異なる、請求項５４に記載の装置。
【請求項５６】
前記第１のインレットサブセットが、前記装置の３，０００回転／分（ＲＰＭ）を上回る回転中における双方向流体流のために構成されている、請求項５５に記載の装置。
【請求項５７】
前記第２のインレットサブセットが、前記装置の約１００回転／分（ＲＰＭ）〜約４，０００ＲＰＭの回転中における双方向流体流のために構成されている、請求項５６に記載の装置。
【請求項５８】
前記双方向流体流が、第１の方向の液相流および第２の方向の気相流を含む、請求項５６または５７に記載の装置。
【請求項５９】
前記第１の層が、流体を受け取るように構成された第１の端部と、前記第１の端部とは反対側の第２の端部と、を有するチャネルを画定し、前記第２のインレットサブセットが、前記第２の端部よりも前記第１の端部に近い位置にある、請求項５８に記載の装置。
【請求項６０】
前記第２のインレットサブセットの各インレットの幅が、約０．２５ｍｍ〜約３．０ｍｍである、請求項５７に記載の装置。
【請求項６１】
キットであって、
回転子デバイスであって、実質的に透明である第１の層と、前記第１の層に連結された第２の層と、を含み、前記第２の層が、赤外線放射に対して実質的に吸収性であり、前記第２の層および前記第１の層が、ウェルセットを集合的に画定し、
前記第１の層が、前記ウェルセットの各ウェルの基部を画定し、前記第２の層が、前記ウェルセットの各ウェルの開口部を画定し、前記第１の層および前記第２の層のうちの少なくとも１つが、前記ウェルセットの各ウェルの側壁を画定し、第３の層が、流体を受け取るように構成された開口部を画定する、回転子デバイスと、
膜および流体を含む容器であって、前記容器が、前記回転子デバイス内に保持されるように構成されている、容器と、
識別子を含む第４の層であって、前記第４の層が、前記第３の層に連結されるように構成されている、第４の層と、を備える、キット。
【発明の詳細な説明】
【背景技術】
【０００１】
被験者からの流体の分析は、疾患の診断ツールとして、および被験者の健康を監視するために使用され得る。例えば、被験者の血液試料の分析は、疾患を診断するために使用され得、および／または試料内の１つ以上の分析対象物を定量化するために使用され得る。いくつかのシステムは、回転子に適用される血液試料を光学的に分析し、回転子は、キュベットセット内に配設された試薬セットを含む。従来の回転子内の１つ以上の回転子溶接部、試料、および試薬の検査は、困難であり得、および／または時間がかかり得る。その上、遠心分離を受ける回転子は、回転子内の非対称流体流の不均衡な性質に起因して、不所望な高デシベルノイズを生成し得る。したがって、流体分析を実施するための追加のデバイス、システム、および方法が望ましい場合がある。
【発明の概要】
【０００２】
一般に、装置は、ウェルセットを集合的に画定するための、実質的に透明である第１の層と、第１の層に連結された第２の層と、を含む。第２の層は、赤外線放射に対して実質的に吸収性であり得る。第２の層および第１の層は、ウェルセットを集合的に画定し得る。第１の層は、ウェルセットの各ウェルの基部を画定し得る。第２の層は、ウェルセットの各ウェルの開口部を画定し得る。第１の層および第２の層のうちの少なくとも１つは、ウェルセットの各ウェルの側壁を画定し得る。
【０００３】
いくつかの実施形態では、第３の層が、第２の層に連結され得る。第３の層は、流体を受け取るように構成されたポートを画定し得る。第３の層は、実質的に透明であり得る。チャネルは、ポートとウェルセットとの間の流体連通路を確立し得る。いくつかの実施形態では、第１の層および第３の層は、各々独立して透明であり得る。実質的に透明であることは、紫外線、可視光、および赤外線放射のうちの少なくとも１つの光透過を含み得る。いくつかの実施形態では、第２の層は、中間赤外線放射および近赤外線放射のうちの少なくとも１つに対して実質的に吸収性であり得る。これらの実施形態のうちのいくつかでは、赤外線放射に対して実質的に吸収性であることは、第１の層を固相から溶融相に遷移させるのに十分な量の赤外線放射を所定の期間内に吸収することを含み得る。いくつかの実施形態では、第２の層は、９４０ｎｍの波長の放射に対して実質的に吸収性であり得る。いくつかの実施形態では、ウェルセットの各ウェルの開口部の直径は、ウェルセットの各ウェルの基部の直径よりも大きくあり得る。
【０００４】
いくつかの実施形態では、ウェルセットの各ウェルの側壁は、第１の側壁部分および第２の側壁部分を含み得る。第１の側壁部分は、そのウェルの基部と第２の側壁部分との間に形成され得る。そのウェルの第２の側壁部分のテーパは、そのウェルの第１の側壁部分のテーパよりも大きくあり得る。そのウェルの第１の側壁部分は、最大約２°のテーパを含み得る。そのウェルの第２の側壁部分は、約３°〜約９°のテーパを含み得る。ウェルセットの各ウェルの開口部は、最大約２°のテーパを含み得る。そのウェルの第１の側壁部分、そのウェルの第２の側壁部分、およびそのウェルの開口部は、射出成形のためのシャットオフとして集合的に構成され得る。いくつかの実施形態では、凍結乾燥試薬は、ウェルセットの少なくとも１つのウェル中に配設され得る。
【０００５】
いくつかの実施形態では、第２の層は、インレットセットを画定し得る。インレットセットの各インレットは、ウェルセットの異なるウェルに対応し得る。インレットセットの各インレットは、開口部とインレットの対応するウェルとの間の流体連通路を確立し得る。
【０００６】
いくつかの実施形態では、インレットセットは、第１のインレットサブセットおよび第２のインレットサブセットを含み得る。第１のインレットサブセットの各インレットの幅は、第２のインレットサブセットの各インレットの幅とは異なり得る。第１のインレットサブセットは、装置の３，０００回転／分（ＲＰＭ）を超える回転中の双方向流体流のために構成され得る。第２のインレットサブセットは、装置の約１００回転／分（ＲＰＭ）〜約４，０００ＲＰＭの回転中における双方向流体流のために構成され得る。双方向流体流は、第１の方向の液相流および第２の方向の気相流を含む。
【０００７】
いくつかの実施形態では、第２の層は、流体を受け取るように構成された第１の端部と、第１の端部とは反対側の第２の端部と、を有するチャネルを画定し得る。第２のインレットサブセットの各インレットの幅は、約０．２５ｍｍ〜約３．０ｍｍであり得る。
【０００８】
いくつかの実施形態では、装置は、実質的に透明である第１の層を含み得る。第２の層が、第１の層に連結され得る。第２の層は、弧状空洞を画定し得る。第２の層は、赤外線放射に対して実質的に吸収性であり得る。第２の層および第１の層は、ウェルセットを集合的に画定し得る。第３の層が、第２の層に連結され得る。第３の層は、流体を受け取るように構成された開口部を画定し得る。第３の層は、実質的に透明であり得る。弧状空洞は、開口部とウェルセットとの間の流体連通のために構成され得る。
【０００９】
いくつかの実施形態では、弧状空洞は、約０．８〜約１．２の幅対深さ比を有し得る。いくつかの実施形態では、弧状空洞の幅は、弧状空洞の長さに沿って狭まり得る。弧状空洞は、試薬を含み得る。いくつかの実施形態では、サイフォンは、弧状空洞に連結するように構成され得る。サイフォンは、Ｕ字形状の部分を含み得る。Ｕ字形状の部分は、装置が回転しているときに、弧状空洞中の流体がＵ字形状の部分を通って流れないように構成され得る。
【００１０】
いくつかの実施形態では、装置は、実質的に透明である第１の層を含み得る。第２の層が、第１の層に連結され得る。第２の層は、赤外線放射に対して実質的に吸収性であり得る。第２の層および第１の層は、ウェルセットを集合的に画定し得る。第３の層が、第２の層に連結され得る。第３の層は、流体を受け取るように構成された開口部を画定し得る。第３の層は、実質的に透明であり得る。
【００１１】
いくつかの実施形態では、装置は、使用中の質量中心および回転軸を画定し得る。質量中心は、回転軸から約０．１ｍｍ〜約１．０ｍｍだけずれ得る。第２の層は、第２の層上の陥凹セットを画定し得る。突起セットは、平行であり、弧状であり得る。陥凹セットは、平行であり、弧状であり得る。
【００１２】
いくつかの実施形態では、装置は、実質的に透明である第１の層を含み得る。第２の層は、第１の層に連結され得る。第２の層は、赤外線放射に対して実質的に吸収性であり得る。第２の層は、空洞を画定し得る。第２の層および第１の層は、ウェルセットを集合的に画定し得る。容器は、空洞内で滑動可能であり得る。容器は、第２の層と容器との間の空洞中に配設されたエラストマシールを含み得る。
【００１３】
いくつかの実施形態では、容器は、容器の周縁の少なくとも一部分に沿ったエラストマシールを含み得る。エラストマシールは、容器に連結され得る。エラストマシールおよび容器は、第２の層に対して干渉嵌合を形成し得る。いくつかの実施形態では、容器は、流体、希釈剤、および試薬のうちの１つ以上を保持し得る。いくつかの実施形態では、容器および空洞は、円筒形であり得る。
【００１４】
いくつかの実施形態では、装置は、反射器セットを含み得る。反射器セットの各反射器は、ウェルセットの隣接するウェル間に配設され得る。これらの実施形態のうちのいくつかでは、反射器セットの各反射器は、第１の角度で光ビームを受け取り、かつ第１の角度に実質的に垂直な方向に光ビームを反射するように構成され得る。これらの実施形態のうちのいくつかでは、反射器セットの各反射器は、プリズム形状の空洞を画定し得る。これらの実施形態のうちのいくつかでは、反射器セットの各プリズム形状の空洞の表面の上にポリッシュが配設され得る。ポリッシュは、約０〜約３の表面粗さを含み得る。
【００１５】
いくつかの実施形態では、装置は、実質的に透明である第１の層を含む。第１の層の表面上に第２の層が配設され得る。第２の層は、赤外線放射に対して実質的に吸収性であり得る。第１の層は、ウェルセットを画定し得る。ウェルセットの各ウェルは、基部および側壁を画定し得る。第２の層は、ウェルセットの各ウェルのウェル開口部を画定し得る。
【００１６】
いくつかの実施形態では、第２の層に第３の層が連結され得、第３の層は、流体を受け取るように構成されたポートを画定し、第３の層は、実質的に透明である。チャネルは、ポートとウェルセットとの間の流体連通路を確立し得る。
【００１７】
いくつかの実施形態では、第２の層は、インレットセットを画定し得る。インレットセットの各インレットは、ウェルセットの異なるウェルに対応し得る。インレットセットの各インレットは、チャネルとインレットの対応するウェルとの間の流体連通路を確立し得る。これらの実施形態のうちのいくつかでは、インレットセットは、第１のインレットサブセットおよび第２のインレットサブセットを含み得る。第１のインレットサブセットの各インレットの幅は、第２のインレットサブセットの各インレットの幅とは異なり得る。いくつかの実施形態では、ウェルセットの各ウェルの開口部の直径は、ウェルセットの各ウェルの基部の直径よりも大きいことが可能である。
【００１８】
第１のインレットサブセットは、装置の３，０００回転／分（ＲＰＭ）を超える回転中の双方向流体流のために構成され得る。第２のインレットサブセットは、装置の約１００回転／分（ＲＰＭ）〜約４，０００ＲＰＭの回転中における双方向流体流のために構成され得る。双方向流体流は、第１の方向の液相流および第２の方向の気相流を含む。
【００１９】
いくつかの実施形態では、第２の層は、流体を受け取るように構成された第１の端部と、第１の端部とは反対側の第２の端部と、を有するチャネルを画定し得る。第２のインレットサブセットの各インレットの幅は、約０．２５ｍｍ〜約３．０ｍｍであり得る。
【００２０】
いくつかの実施形態では、キットは、実質的に透明である第１の層を含む回転子デバイスを含む。第２の層が、第１の層に連結され得る。第２の層は、赤外線放射に対して実質的に吸収性であり得る。第２の層および第１の層は、ウェルセットを集合的に画定し得る。第１の層は、ウェルセットの各ウェルの基部を画定し得る。第２の層は、ウェルセットの各ウェルの開口部を画定し得る。第１の層および第２の層のうちの少なくとも１つは、ウェルセットの各ウェルの側壁を画定し得る。第３の層は、流体を受け取るように構成された開口部を画定し得る。容器は、膜および流体を含み得る。容器は、回転子デバイス内に保持されるように構成され得る。第４の層は、識別子を含み得る。第４の層は、第３の層に連結されるように構成され得る。
【図面の簡単な説明】
【００２１】
【図１Ａ】実施形態による、回転子の例示的な平面図である。
【図１Ｂ】図１Ａに描示された回転子の例示的な底面図である。
【図２Ａ】他の実施形態による、回転子アセンブリの例示的な分解図である。
【図２Ｂ】図２Ａに描示された回転子アセンブリの別の例示的な分解図である。
【図２Ｃ】図２Ａに描示された回転子アセンブリの例示的な組み立て斜視図である。
【図３Ａ】他の実施形態による、回転子の断面側面図である。
【図３Ｂ】図３Ａに描示された回転子のウェルの詳細な断面側面図である。
【図４Ａ】実施形態による、回転子のウェルセットおよび反射器セットの詳細な平面図である。
【図４Ｂ】実施形態による、回転子のインレットおよびチャネルの詳細な平面図である。
【図４Ｃ】図４Ａに描示された反射器の断面側面図である。
【図５Ａ】実施形態による、回転子の弧状空洞の詳細な平面図である。
【図５Ｂ】図５Ａに描示された弧状空洞の詳細な断面側面図である。
【図６】実施形態による、回転子のチャネルの詳細な平面図である。
【図７Ａ】他の実施形態による、回転子アセンブリの例示的な分解図である。
【図７Ｂ】図７Ａに描示された回転子アセンブリの層の詳細な斜視図である。
【図８Ａ】他の実施形態による、流体分析システムのブロック図である。
【図８Ｂ】図８Ａに描示された流体分析システムの制御システムのブロック図である。
【図９】実施形態による、回転子を使用する方法の例示的なフローチャートである。
【図１０Ａ】実施形態による、回転子の製造方法の例示的なフローチャートである。
【図１０Ｂ】回転子をマルチショット射出成形する方法の例示的なフローチャートである。
【図１１Ａ】図１０Ｂの方法に描示されたステップの例示的な斜視図であり、金型閉鎖および注入プロセスを描示する。
【図１１Ｂ】図１０Ｂの方法に描示されたステップの例示的な斜視図であり、金型開放プロセスを描示する。
【図１１Ｃ】図１０Ｂの方法に描示されたステップの例示的な斜視図であり、金型回動プロセスを描示する。
【図１１Ｄ】図１０Ｂの方法に描示されたステップの例示的な斜視図であり、金型閉鎖および注入プロセスを描示する。
【図１１Ｅ】図１０Ｂの方法に描示されたステップの例示的な斜視図であり、金型開放プロセスを描示する。
【図１１Ｆ】図１０Ｂの方法に描示されたステップの例示的な斜視図であり、金型回動および回転子取り出しプロセスを描示する。
【図１２】実施形態による、回転子を検査する方法の例示的なフローチャートである。
【図１３Ａ】実施形態による、回転子の例示的な画像である。
【図１３Ｂ】図１３Ａに描示された回転子の高コントラスト画像である。
【図１４Ａ】実施形態による、回転子のウェル中の試薬の例示的な側面図画像である。
【図１４Ｂ】実施形態による、回転子のウェル中の試薬の例示的な平面図画像である。
【図１５Ａ】実施形態による、容器の例示的な側面図である。
【図１５Ｂ】図１５Ａに描示された容器の例示的な断面図である。
【図１５Ｃ】図１５Ａに描示された容器の分解図である。
【図１５Ｄ】図１５Ａに描示された容器を含む、回転子アセンブリの斜視図である。
【図１５Ｅ】図１５Ｄに描示された回転子アセンブリの分解図である。
【図１６】実施形態による、溶接部ネストの例示的な斜視図である。
【図１７】実施形態による、フォトマスクハウジングの例示的な分解斜視図である。
【図１８】実施形態による、回転子製造システムの例示的な斜視図である。
【発明を実施するための形態】
【００２２】
本明細書には、回転子デバイス、システム、およびその使用方法の実施形態が記載される。これらのシステムおよび方法を使用して、生体試料を特性化および／または定量化し、被験者の健康の評価および／または状態の診断を可能にし得る。例えば、本明細書に記載された回転子は、生体流体の光学分析のために、特に、回転子を使用して細胞材料から血液血漿を分離した後に血液血漿を分析するために構成され得る。より具体的には、回転子は、全血から血漿を分離し、および／または希釈液を添加して、所望に応じて試料を希釈し、それらを、それらの内容物の光学分析のために構成された別個のウェル（例えば、キュベット）に配分するように構成され得る。各ウェルは、ウェル中の試料の生化学分析を補助し得る１つ以上の物質を含有し得る。試料は、ウェルのうちの１つ以上内の試薬のうちの１つ以上と化合し得る。試料と試薬との間の生化学反応は、検出および分析され得る光ビームに曝露されると光学的効果を生じ得る。例えば、各ウェル中の流体を光学的に分析しながら回転子が回転する際にウェルセットに試料を充填することによって、試料は、分光光度計、フルオロメータ、光検出器、それらの組み合わせなどのうちの１つ以上によって測定され得る、色、蛍光、発光、それらの組み合わせなどのうちの１つ以上の変化をもたらす反応または他の変化を受け得る。
【００２３】
本明細書に詳細に記載された回転子（１００、２００、３００、４００、５００、６００、７００）の各々は、血液、血清、血漿、尿、痰、精液、唾液、眼球レンズ液、脳脊髄液、脊髄液、羊水、および組織培養培地、ならびに食品および工業用化学物質、それらの組み合わせなどのうちの１つ以上を含有し得るが、これらに限定されない全血を含む試料を受け取り得る。本明細書に記載されるような回転子（１００、２００、３００、４００、５００、６００、７００）のうちのいずれも、好適な流体分析システム（例えば、光学分析器）と共に使用され得る。
【００２４】
本明細書に開示されたデバイスは、多岐にわたる分析手順およびアッセイを実施するのに好適であり得る。分析手順は、試料を１つ以上の試薬と化合させることにより、試料の特定の成分（分析対象物）の存在および／もしくは量または特性に関連し得るいくつかの検出可能な変化が生じ得るように、１つ以上の試薬と化合し得るいくつかの検出可能な変化が生じることを必要とし得る。例えば、試料は、分光光度計、フルオロメータ、光検出器などによって測定され得る、色、蛍光、発光などの色の変化をもたらす反応または他の変化を受け得る。いくつかの場合では、このようなアッセイ手順は、一様であって分離ステップを必要としないことが可能である。他の場合では、アッセイ手順は、試料（例えば、血液血漿）を、免疫学的反応が発生した後に空洞またはウェルから分離し得る。特定の試料が分析され、かつ特定の成分が検出されることに応じて、任意の数の分析方法が、本明細書に開示された遠心分離回転子デバイスでの使用に適合され得る。
【００２５】
いくつかの実施形態では、回転子デバイス、試薬、システム、および方法は、１９９０年６月４日に出願され、「ＡＰＰＡＲＡＴＵＳ  ＡＮＤ  ＭＥＴＨＯＤ  ＦＯＲ  ＳＥＰＡＲＡＴＩＮＧ  ＣＥＬＬＳ  ＦＲＯＭ  ＢＩＯＬＯＧＩＣＡＬ  ＦＬＵＩＤＳ」と題された米国特許出願第０７／５３２，５２４号、および／または１９９１年４月１日に出願され、「ＡＰＰＡＲＡＴＵＳ  ＡＮＤ  ＭＥＴＨＯＤ  ＦＯＲ  ＯＰＴＩＣＡＬＬＹ  ＡＮＡＬＹＺＩＮＧ  ＢＩＯＬＯＧＩＣＡＬ  ＦＬＵＩＤＳ」と題された米国特許出願第０７／６７８，８２４号、および／または１９９１年４月１日に出願され、「ＣＥＮＴＲＩＦＵＧＡＬ  ＲＯＴＯＲ  ＨＡＶＩＮＧ  ＦＬＯＷ  ＰＡＲＴＩＴＩＯＮ」と題された米国特許出願第０７／６７８，８２３号、および／または１９９１年８月１９日に出願され、「ＲＥＡＧＥＮＴ  ＣＯＭＰＯＳＩＴＩＯＮＳ  ＦＯＲ  ＡＮＡＬＹＴＩＣＡＬ  ＴＥＳＴＩＮＧ」と題された米国特許出願第０７／７４７，１７９号、および／または１９９２年２月１１日に出願され、「ＲＥＡＧＥＮＴ  ＣＯＮＴＡＩＮＥＲ  ＦＯＲ  ＡＮＡＬＹＴＩＣＡＬ  ＲＯＴＯＲ」と題された米国特許出願第０７／８３３，６８９号、および／または１９９１年１０月２９日に出願され、「ＳＡＭＰＬＥ  ＭＥＴＥＲＩＮＧ  ＰＯＲＴ  ＦＯＲ  ＡＮＡＬＹＴＩＣＡＬ  ＲＯＴＯＲ  ＨＡＶＩＮＧ  ＯＶＥＲＦＬＯＷ  ＣＨＡＭＢＥＲ」と題された米国特許出願第０７／７８３，０４１号、および／または１９９２年４月２４日に出願され、「ＣＲＹＯＧＥＮＩＣ  ＡＰＰＡＲＡＴＵＳ」と題された米国特許出願第０７／８７３，３２７号、および／または１９９３年９月１日に出願され、「ＳＩＭＵＬＴＡＮＥＯＵＳ  ＣＵＶＥＴＴＥＳ  ＦＩＬＬＩＮＧ  ＷＩＴＨ  ＭＥＡＮＳ  ＴＯ  ＩＳＯＬＡＴＥ  ＣＵＶＥＴＴＥＳ」と題された米国特許出願第０８／１１５，１６３号、および／または１９９３年９月２０日に出願され、「ＡＮＡＬＹＴＩＣＡＬ  ＲＯＴＯＲ  ＷＩＴＨ  ＤＹＥ  ＭＩＸＩＮＧ  ＣＨＡＭＢＥＲ」と題された米国特許出願第０８／１２４，５２５号、および／または１９９５年１２月２６日に出願され、「ＭＥＴＨＯＤＳ  ＦＯＲ  ＰＨＯＴＯＭＥＴＲＩＣ  ＡＮＡＬＹＳＩＳ」と題された米国特許出願第０８／２９２，５５８号、および／または１９９４年１２月６日に出願され、「ＭＥＴＨＯＤ  ＡＮＤ  ＤＥＶＩＣＥ  ＦＯＲ  ＵＬＴＲＡＳＯＮＩＣ  ＷＥＬＤＩＮＧ」と題された米国特許出願第０８／３５０，８５６号、および／または２００４年５月５日に出願され、「ＭＯＤＩＦＩＥＤ  ＳＩＰＨＯＮＳ  ＦＯＲ  ＩＭＰＲＯＶＩＮＧ  ＭＥＴＥＲＩＮＧ  ＰＲＥＣＩＳＩＯＮ」と題された米国特許出願第１０／８４０，７６３号、および／または２０１７年６月２７日に出願され、「ＤＥＶＩＣＥＳ  ＷＩＴＨ  ＭＯＤＩＦＩＥＤ  ＣＯＮＤＵＩＴＳ」と題された国際特許出願第ＰＣＴＵＳ２０１７／０３９４６０号に記載されたデバイス、システム、コンポーネント、要素、組成物、およびステップのうちの１つ以上を含み得、その各々は、参照によりその全体が本明細書に組み込まれる。
【００２６】
Ｉ．デバイス
本明細書には、記載された様々なシステムのいくつかの実施形態で使用され得るデバイスが記載される。本明細書に記載されたような回転子は、空洞およびウェルのセットを含み得る。いくつかの実施形態では、１つ以上の物質（例えば、試薬、凍結乾燥試薬）が、試料分析を容易にするために、回転子の１つ以上のウェル中に配設され得る。例えば、試薬は、輸送および保管中に安定かつ無変化のままであり得る乾燥した形態で提供され得る。いくつかの実施形態では、回転子は、生体試料（例えば、全血）から細胞成分を分離すること、所定の体積の液体試料（例えば、血漿）を測定すること、試料を所定の希釈剤と混合すること、および光学分析のために希釈された試料をウェルセットに送達することのうちの１つ以上を提供するように構成された開口部、チャネル、空洞、導管、ウェル、および／または他の構造を画定し得る。ウェルセットに送達される流体は、流体内の１つ以上の分析対象物の特性化および定量化を補助し得るウェルセット内で１つ以上の反応を受け得る。試料は、事前の反応の有無にかかわらず、回転子中に存在しながら光学的に分析され得る。
【００２７】
装置は、流体分析システムと共に使用して試料の特性を定量化および分析するように構成され得る。例えば、回転子が回転している間に、各ウェルの光学測定（例えば、吸光度）が実施され得る。所定の波長の光ビームが、ウェルセットを通り抜けるように誘導され得る。この光は、試薬と流体試料の成分との間の反応の生成物によって部分的に吸収され得る。光が吸収される程度は、流体試料中の反応生成物の濃度に依存し得る。ウェルを透過する光の強度を基準強度と比較することによって、流体と試薬との間の所与の反応生成物の濃度が計算され得る。反応生成物の濃度を使用して、試料流体中の対応する成分の濃度を計算し得る。
【００２８】
回転子
いくつかの実施形態では、回転子は、試料分析を補助するように構成された１つ以上の特徴を含み得る。特に、回転子は、１つ以上の実質的に透明な層と、赤外線放射に対して実質的に吸収性である別の層（例えば、不透明な層）と、を含み得る。例えば、不透明な層は、色が黒であり得るカーボンブラックおよびアクリル化合物を構成要素とし得る。この組み合わせによって形成された不透明度は、透明な回転子とは違って、回転子中に配置された生体試料との一貫したコントラスト背景を提供し得る。これは、ユーザ（例えば、オペレータ、技術者）が、回転子中の試料を適用および検証すること、ならびに異なる層の回転子溶接部の検査を補助し得る。その上、回転子層は、製造サイクル時間を低減し、かつ回転子の品質を改善し得るレーザ溶接技術を使用して、合わせて連結され得る。例えば、レーザ溶接は、溶接部の一貫性を増加させ、回転子形状（例えば、回転子の平坦度）を改善し得る。
【００２９】
図１Ａは、回転子（１００）の例示的な平面図である一方、図１Ｂは、回転子（１００）の例示的な底面図である。回転子（１００）は、実質的に透明な第１の層（１０１）を含み得、第２の層（１０２）の第１の面（例えば、下面）が、第１の層（１０１）に連結される。第１の層（１０１）および第２の層（１０２）は、ウェル（１３０）セットを集合的に画定し得る。例えば、ウェル（１３０）セットの各ウェルの少なくとも基部部分（例えば、底部部分）は、第１の層（１０１）によって形成され得る。ウェル（１３０）セットの基部部分とは反対側の各ウェルの開口部（例えば、上部部分）は、第２の層（１０２）によって画定され得る。ウェル（１３０）セットの各ウェルの側壁は、概して円筒形であり得、第１の層（１０１）、第２の層（１０２）、またはそれらのいくつかの組み合わせのいずれかによって形成され得る。いくつかの実施形態では、ウェル（１３０）セットの各ウェルは、約１．０ｍｍ〜約１０ｍｍの深さ、および約５ｍｍ以下の直径を有し得る。いくつかの実施形態では、回転子（１００）は、５個のウェル〜５０個のウェルを含み得る。いくつかの実施形態では、ウェル（１３０）セットの各ウェルは、約１μＬ〜約４０μＬの容積を画定し得る。いくつかの実施形態では、ウェル（１３０）セットの隣接するウェルは、約１ｍｍ〜約３０ｍｍだけ離間し得る。回転子のウェルセットは、図３Ａ〜図３Ｂに関してより詳細に記載される。図１Ａでは、第２の層（１０２）は、第１の層（１０１）よりも上に配設されて示される。
【００３０】
いくつかの実施形態では、第２の層（１０２）の少なくとも一部分は、赤外線放射に対して実質的に吸収性であり得る。例えば、第２の層（１０２）は、不透明（例えば、黒）であり得、これは、明確化のために図面に例示されていない。同様に、明確化のために、本明細書に記載された回転子のいずれの透明部分の透明度も、描示されていない。いくつかの実施形態では、第２の層（１０２）の少なくとも一部分は、中間赤外線放射および近赤外線放射の少なくとも１つに対して実質的に吸収性であり得る。赤外線放射は、約７００ｎｍ〜約１ｍｍの波長を有し得る。中間赤外線放射は、約３μｍ〜約８μｍの波長を有し得る。近赤外線放射は、約０．７５μｍ〜約１．４μｍの波長を有し得る。可視光は、約４００ｎｍ〜約７００ｎｍの波長を有し得る。紫外線は、約１０ｎｍ〜約４００ｎｍの波長を有し得る。いくつかの実施形態では、第２の層（１０２）の少なくとも一部分は、少なくとも９４０ｎｍの波長の放射に対して実質的に吸収性であり得る。
【００３１】
本明細書で使用される場合、用語「透明な」、「透明度」、およびそれらの変化形は、その層を通した約１０％以上の（レーザ溶接のためなどの）化学的に重要な所定の波長および／または波長範囲での光透過と理解され得る一方、用語「不透明な」、「不透明度」、「不透明さ」、およびそれらの変化形は、その層を通した約１０％以下の所定の波長および／または波長範囲での光透過を含み得る。例えば、アクリルは、約９０％のＵＶ波長透過を提供する際に、一般に透明であると見なされ得る。レーザ溶接を使用して形成された透明なプラスチックは、それらプラスチックの波長透明度を保持し得る。さらに、材料の不透明さは、所定の波長および／または所定の波長範囲でのエネルギー吸収に対応し得る。本明細書で使用される場合、赤外線放射に対して実質的に吸収性の材料は、（所定の波長範囲およびパワー範囲の）赤外線放射を吸収して所定の期間内に材料を固相から溶融相に遷移させ得る材料に対応する。
【００３２】
第１の層（１０１）および第２の層（１０２）は、本明細書でより詳細に記載されるように、回転子（１００）の他の構造（例えば、空洞、チャネル、穴、突起、突出）をさらに集合的に画定し得る。例えば、第２の層（１３４）は、弧状空洞（１１０、１１２、１１４）セット、チャネル（１２０、１２２）セット、インレット（１３２、１３４）セット、および反射器（１４０）セットの１つ以上の部分を画定し得る。いくつかの実施形態では、チャネル（１２０、１２２）セットは、弧状空洞（１１０）とウェル（１３０、１５０、１５２）セットとの間の流体連通路を確立し得る。
【００３３】
ウェル（１３０）セットの各ウェルは、それぞれのインレット（１３２、１３４）によってチャネル（１２０）に連結され得る。ウェル（１３０）セットの各ウェルは、直列に充填されるように構成され得る。すなわち、回転子（１００）は、高密度直列充填キュベットセットを含み得る。いくつかの実施形態では、インレットセットの各インレットは、同じ寸法を有し得る。他の実施形態では、インレットセットの各インレットは、異なる寸法を有し得る。例えば、第１のインレット（１３２）セットの幅は、第２のインレット（１３４）セットの幅よりも小さくあり得る。異なるインレット寸法により、ウェル（１３０）の各々が、回転する回転子（１００）の異なる速度において（すなわち、加速度に起因して）、流体を充填することが可能になり得る。第２のインレット（１３４）セットのより広い幅は、本明細書でより詳細に記載されるように、比較的低い回転数／分（例えば、約４，０００ＲＰＭ未満）で、一方向の液体と反対方向のガスとの双方向流を収容するように構成され得る。いくつかの実施形態では、インレットセットの幅は、約０．２５ｍｍ〜約３．０ｍｍであり得、インレットセットの長さは、約０．５ｍｍ〜約６．０ｍｍであり得、インレットセットの深さは、約０．１ｍｍ〜約０．２５ｍｍであり得る。
【００３４】
いくつかの実施形態では、弧状空洞（１１２、１１４）は、それぞれの計量チャンバおよび混合チャンバに対応し得る。例えば、希釈液は、希釈カップが開封された後に、計量チャンバ（１１２）中に受容および保持され得る。混合チャンバ（１１４）は、それらの空洞の各々からの流体が混合チャンバ（１１４）（例えば、試料および希釈剤）内で化合し得るように、計量チャンバ（１１２）および弧状空洞（１１０）に連結されるように構成され得る。いくつかの実施形態では、ウェルセットは、試料チェックウェル（１５０）および赤血球（ＲＢＣ）ウェル（１５２）を含み得る。試料チェックウェル（１５０）は、十分な試料が回転子（１００）の中に投入されたかどうかのゲージとして使用され得る。例えば、未充填であるか、または不完全に充填された試料チェックウェル（１５０）は、流体分析を実施するには不十分な試料が回転子（１００）の中に挿入されたことを示し得る。ＲＢＣウェル（１５２）は、試料の赤血球を受容および保持するように構成され得る。例えば、全血試料が、ＲＢＣウェル（１５２）中に保持される赤血球と、ウェル（１３０）セットを充填し得る血漿と、に分離され得る。
【００３５】
いくつかの実施形態では、第１の層（１０１）は、紫外線、可視光、および赤外線放射のうちの１つ以上に対して実質的に透明であり得る。いくつかの実施形態では、第１の層（１０１）および第２の層（１０２）は、アクリル、ポリカーボネート、環状オレフィンコポリマー（ＣＯＣ）、ポリスチレン、アクリロニトリルブタジエンスチレン（ＡＢＳ）、および紫外線に対して透明な他の材料のうちの１つ以上を独立して構成要素とし得る。
【００３６】
いくつかの実施形態では、第２の層（１０２）は、少なくとも約０．１重量％の、有機顔料および無機顔料のうちの少なくとも１つを含み得る。例えば、第２の層（１０２）は、約０．２重量％〜約０．４重量％のカーボンブラックを含み得る。
【００３７】
有機顔料は、カーボンブラックおよびレーザ吸収組成物を含み得る。カーボンブラックは、約５００ｎｍ〜約２２００ｎｍの吸収範囲を有し得る。カーボンブラックは、濃度（例えば、９４０ｎｍで約０．１重量％以上）に基づいて、約１０μｍ〜約１００μｍの近赤外線放射波長の光浸透深さを有し得る。いくつかの実施形態では、レーザ吸収組成物は、約７００ｎｍ〜約８μｍの放射に対して実質的に吸収性であり得る。例えば、Ｃｌｅａｒｗｅｌｄ（登録商標）およびＬｕｍｏｇｅｎ（登録商標）は、約７００ｎｍ〜約１１００ｎｍの吸収範囲を有し得る。
【００３８】
無機顔料は、リン酸銅および酸化インジウムスズ（ＩＴＯ）を含み得る。リン酸銅は、約９００ｎｍ〜約１６００ｎｍの吸収範囲を有し得る。ＩＴＯは、約１０００ｎｍを上回る吸収範囲を有し得る。
【００３９】
本明細書に記載されたような回転子デバイスは、回転のために遠心分離機などのシステム上に取り付けられるように構成された開口部（例えば、レセプタクル）を含み得る。遠心分離機は、例えば、回転子が取り付けられ得る垂直駆動シャフトを含み得る。ただし、回転子は、回転子設計および回転子内の流体流のうちの１つ以上に起因する固有のまたは残存するインバランスを有し得る。例えば、生体試料は、遠心分離プロセスの間中、回転子の異なる空洞、チャンバ、およびチャネルを通って流れるように構成され得る。いくつかの場合では、回転子は、流体がウェルセットに充填されるときに一般にバランスするように構成され得るが、試料が保持チャンバ（例えば、弧状空洞）中に投入および保持されると、アンバランスになり得る。したがって、回転子は、遠心分離プロセスの間中、ポイントオブケア設定での回転子使用の所望性を低減し得る不所望なノイズを生成し得る。
【００４０】
図１Ｂに示されるように、第２の層（１０２）の第１の面（例えば、下面、底面）は、弧状突起（１６０）セットおよび穴（１８０）を含み得る。弧状突起（１６０）セットは、回転子（１００）の中心から回転子（１００）の質量中心をずらすように構成された所定の形状、数、位置、および質量分布を有し得る。これに加えて、またはこれに代えて、第２の層（１０２）は、所定の形状、数、位置、および容積を有する凹状部分（１６２）セットを含み得る。例えば、凹状部分（１６２）および弧状突起（１６０）のセットは、弧状形状、放射状形状、長尺形状、分割形状、および直線形状のうちの１つ以上を有し得る。いくつかの実施形態では、凹状部分（１６２）セットは、平行かつ弧状であり得る。いくつかの実施形態では、回転子の質量中心は、回転子の中心から最大約０．５ｍｍの間にあるように構成され得る。このようにして、回転子の質量中心は、遠心分離プロセスの間中、流体流を有する回転子の質量中心に近づき得る。これは、特に異なる遠心速度下で、回転子（１００）の遠心分離中の全体的なノイズ低減を補助し得る。
【００４１】
いくつかの実施形態では、第１の層（１０１）および／または第２の層（１０２）は、本明細書でより詳細に記載されるように、射出成形（例えば、マルチショット成形）および／または機械加工を使用して形成され得る。いくつかの実施形態では、第１の層（１０１）および／または第２の層（１０２）は、超音波溶接、レーザ溶接、接着剤（例えば、接着テープ）、および／または溶剤結合のうちの１つ以上を使用して、回転子（１００）の他の層に結合され得る。
【００４２】
例えば、レーザ溶接は、半導体ダイオードレーザ、固体Ｎｄ：ＹＡＧレーザ、およびファイバレーザのうちの１つ以上を使用し得る。ダイオードレーザは、約８００ｎｍ〜約２０００ｎｍ（例えば、約９４０ｎｍ、約９８０ｎｍ）の波長を有する光ビームを生成し得る。Ｎｄ：ＹＡＧレーザは、約１０６４ｎｍの波長を有する光ビームを生成し得る。ファイバレーザは、約１０３０ｎｍ〜約１６２０ｎｍの波長を有する光ビームを生成し得る。
【００４３】
いくつかの実施形態では、回転子（１００）は、中間の全ての値およびサブ範囲を含む、約４０ｍｍ〜約１２０ｍｍの直径、および約１０ｍｍ〜約３０ｍｍの厚さを有し得る。
【００４４】
図２Ａおよび図２Ｂは、他の実施形態による、回転子アセンブリ（２００）の例示的な分解図である。回転子アセンブリ（２００）は、本明細書に記載されるように、回転子（１００、３００、４００、５００、６００、７００）と構造的および／または機能的に類似する回転子を含み得る。例えば、回転子アセンブリ（２００）は、第２の層（２０２）の第１の面（例えば、下面）に連結された実質的に透明な第１の層（２０１）を含み得る。第１の層（２０１）および第２の層（２０２）は、ウェル（２３０）セットを集合的に画定し得る。いくつかの実施形態では、第２の層（２０２）の少なくとも一部分は、赤外線放射に対して実質的に吸収性であり得る。いくつかの実施形態では、第２の層（２０２）の少なくとも一部分は、中間赤外線放射および近赤外線放射のうちの１つ以上に対して実質的に吸収性であり得る。例えば、第２の層（２０２）の少なくとも一部分は、少なくとも９４０ｎｍの波長の放射に対して実質的に吸収性であり得る。第１の層（２０１）および第２の層（２０２）は、本明細書でより詳細に記載されるように、回転子（２００）の他の構造（例えば、空洞、チャネル、穴、突起、突出）をさらに集合的に画定し得る。例えば、第２の層（１０２）は、弧状空洞（２１０）およびチャネル（２２０）セットの１つ以上の部分を画定し得る。いくつかの実施形態では、チャネル（２２０）セットは、弧状空洞（２１０）とウェル（２３０）セットとの間の流体連通路を確立し得る。
【００４５】
いくつかの実施形態では、第２の層（２０２）は、少なくとも約０．１重量％のカーボンブラックを含み得る。例えば、第２の層（２０２）は、約０．２重量％〜約０．４重量％のカーボンブラックを含み得る。いくつかの実施形態では、第１の層（２０１）および／または第２の層（２０２）は、本明細書でより詳細に記載されるように、射出成形（例えば、マルチショット成形）および／または機械加工を使用して形成され得る。いくつかの実施形態では、第１の層（２０１）および／または第２の層（２０２）は、超音波溶接、レーザ溶接、接着剤（例えば、接着テープ）、および／または溶剤結合のうちの１つ以上を使用して、回転子（２００）の他の層に結合され得る。例えば、レーザ溶接は、半導体ダイオードレーザ、固体Ｎｄ：ＹＡＧレーザ、およびファイバレーザのうちの１つ以上を使用し得る。
【００４６】
回転子アセンブリ（２００）は、第２の層（２０２）の第２の面（例えば、上面）に連結され得る第３の層（２０３）を含み得る。第３の層（２０３）は、血液などの流体を受け取るように構成された開口部（２４０）を画定し得る。第３の層（２０３）は、実質的に透明であり得る。チャネル（２２０）は、開口部（２４０）とウェル（２３０）セットとの間の流体連通路を確立し得る。第３の層（２０３）の開口部（２４０）は、試料を受け取るように構成され得る。例えば、試料は、ピペット処理され、膜を通して注入され、注がれ得る。開口部（２４０）は、試料を受け取るための任意の好適な形状および／またはサイズを有し得る。第３の層（２０３）は、レーザ溶接を使用して第２の層（２０２）に連結され得る。例えば、レーザ溶接は、半導体ダイオードレーザ、固体Ｎｄ：ＹＡＧレーザ、およびファイバレーザのうちの１つ以上を使用し得る。
【００４７】
いくつかの実施形態では、回転子アセンブリ（２００）は、第４の層（２０４）（例えば、試料ホルダ）を含み得る。回転子は、第４の層（２０４）によって取り外し可能に保持されて、回転子および／または試料の取り扱い、処理、および識別を補助し得る。回転子に連結された第４の層（２０４）は、試料の自動処理のために、ユーザによって流体分析システムの中に配置され得る。第４の層（２０４）は、回転子に物理的支持および保護を提供するのに有用であり得る。
【００４８】
第４の層（２０４）は、第３の層（２０３）の外表面に連結され得る。例えば、第４の層（２０４）は、第３の層（２０３）の対応する穴（２９６）内に嵌着するように構成された突起（２９４）セット（図２Ｂを参照）を含み得る。第４の層（２０４）は、他の回転子層（２０１、２０２、２０３）に触れることなく、かつ回転子アセンブリ（２００）の光学的性質に潜在的に影響を与えることなく、ユーザが把持するための部分（例えば、外周縁および内周縁、縁部）セットを含み得る。第４の層（２０４）の直径は、回転子の直径よりも大きくあり得る。第４の層（２０４）は、ウェル（２３０）セットを通した妨げられない光透過を可能にし、かつ／または重量を低減するように構成された開口部（２９２）セットを画定し得る。第４の層は、遠心分離中に回転して回転子の開口部から出る可能性がある試料流体に対するシールドとしてさらに機能し得る。第４の層（２０４）は、第４の層（２０４）に対して固定位置に回転子アセンブリ（２００）を保持しながら、ウェル（２３０）セットを通して妨げられない光透過を可能にするように構成され得る。図２Ｃは、組み立てられた回転子アセンブリ（２００）を描示する。第４の層（２０４）は、不透明であり得る。
【００４９】
いくつかの実施形態では、第４の層（２０４）は、バーコード、ＱＲコード（登録商標）、および１つ以上の基準物（例えば、着色／不透明点、ルーラ、スリット、目印、マーカ）、それらの組み合わせなどの１つ以上の識別子（２９０）を含み得る。例えば、弧状バーコードは、第４の層（２０４）の外周縁に沿って（例えば、第３の層（２０３）から離れる方を向くカバー（２０４）の面上に）配設され得る。識別子は、回転子アセンブリ（２００）の識別および処理のために使用され得る。
【００５０】
いくつかの実施形態では、第１の層（２０１）および第３の層（２０３）は、紫外線、可視光、および赤外線放射のうちの１つ以上に対して実質的に透明であり得る。いくつかの実施形態では、第１の層（２０１）、第２の層（２０２）、第３の層（２０４）、およびカバー（２０４）は、アクリル、ポリカーボネート、環状オレフィンコポリマー（ＣＯＣ）、ポリスチレン、およびアクリロニトリルブタジエンスチレン（ＡＢＳ）などのうちの１つ以上を独立して構成要素とし得る。図２Ａ〜図２Ｃに示されたデバイス（２００）は、３つの層を含むが、本明細書に記載された回転子のうちのいずれも、より多くの層またはより少ない層を使用して形成され得ることは理解されるはずである。いくつかの実施形態では、赤外線放射に対して実質的に吸収性の層が、透明な第１の層上に印刷され得る。例えば、カーボンブラックまたはレーザ吸収組成物の層が、透明な第１の層（例えば、本明細書に記載されたウェル、チャネル、および空洞を含む回転子基部）の表面の上に印刷され得る。
【００５１】
図３Ａは、断面側面図であり、図３Ｂは、回転子（３００）のウェル（３３０）の詳細な断面側面図である。回転子（３００）は、本明細書に記載されるように、回転子（１００、２００、４００、５００、６００、７００）と構造的および／または機能的に類似し得る。回転子（３００）は、第２の層（３０２）に連結された実質的に透明な第１の層（３０１）を含み得る。第１の層（３０１）および第２の層（３０２）は、ウェル（３３０）セットを集合的に画定し得る。ウェル（３３０）セットの各ウェルは、回転子（３００）の周囲に沿って形成され得る。例えば、ウェル（３３０）セットは、回転子（３００）の周縁に対して沿設され得る。いくつかの実施形態では、ウェル（３３０）セットは、本明細書でより詳細に記載されるような概して円筒形の形状を含み得る。例えば、図３Ｂに示されるように、各ウェル（３３０）は、第２の層（３０２）中の開口部（３３８）によって画定され得る一方、側壁（３３４）および基部部分（３３２）は、第１の層（３０１）中に形成され得る。これに代えて、いくつかの実施形態では、側壁（３３４）の１つ以上の部分は、第２の層（３０２）によって形成され得る。図３Ｂの詳細な断面側面図に示されるように、側壁（３３４）は、第１の側壁部分（３３５）および第２の側壁部分（３３６）を含み得る。
【００５２】
いくつかの実施形態では、ウェルセットの各ウェルの開口部の直径は、ウェルセットの各ウェルの基部の直径よりも大きくあり得る。いくつかの実施形態では、ウェル（３３０）は、開口部（３３８）から基部部分（３３２）に向かって内側に先細りし得る。いくつかの実施形態では、ウェルの中間部分は、ウェル（３３０）の端部部分よりも大きく先細りし得る。例えば、第１の側壁部分（３３５）は、最大約２°先細り（３５１）し得る。第２の側壁部分（３３５）は、約３°〜約９°先細り（３５３）し得る。開口部（３３８）は、最大約２°先細り（３５５）し得る。このウェル（３３０）構成は、これらの層が射出成形プロセスで合わせて押圧されるときに、第１の層（３０１）と第２の層（３０２）との間の連結を補助し得る。例えば、先細りした側壁表面は、炭素充填材料が透明材料の中に浸透するのを防止し得るツーショット射出成形プロセスのシャットオフとして構成され得る。すなわち、先細りした表面によって提供されるシャットオフは、第２の材料と第１の材料との間の境界を確立し得る。
【００５３】
入射光ビームは、側壁（３３４）を通り抜けることなく、ウェル（３３０）を透過するように構成され得る。いくつかの実施形態では、開口部は、約０．２５ｍｍ〜７ｍｍの深さ、および約１ｍｍ〜約５ｍｍの直径を有し得る。いくつかの実施形態では、第１の側壁部分は、約２ｍｍ〜約６ｍｍの深さを有し得る。
【００５４】
いくつかの実施形態では、第２の層（３０２）の少なくとも一部分は、赤外線放射に対して実質的に吸収性であり得る。例えば、第２の層（３０２）は、不透明（例えば、黒）であり得る。いくつかの実施形態では、第２の層（３０２）の少なくとも一部分は、中間赤外線放射および近赤外線放射のうちの１つ以上に対して実質的に吸収性であり得る。例えば、第２の層（３０２）の少なくとも一部分は、少なくとも９４０ｎｍの波長の放射に対して実質的に吸収性であり得る。
【００５５】
第１の層（３０１）および第２の層（３０２）は、本明細書でより詳細に記載されるように、回転子（３００）の他の構造（例えば、空洞、チャネル、穴、突起、突出）をさらに集合的に画定し得る。例えば、図３Ａに示されるように、第２の層（３０２）は、第２の層（３０２）の中央部内に穴（３８０）を画定し得る。いくつかの実施形態では、第１の層（３０１）は、紫外線、可視光、および赤外線放射のうちの１つ以上に対して実質的に透明であり得る。いくつかの実施形態では、第１の層（３０１）および第２の層（３０２）は、アクリル、ポリカーボネート、環状オレフィンコポリマー（ＣＯＣ）、ポリスチレン、アクリロニトリルブタジエンスチレン（ＡＢＳ）などのうちの１つ以上を独立して構成要素とし得る。いくつかの実施形態では、第２の層（３０２）は、少なくとも約０．１重量％のカーボンブラックを含み得る。例えば、第２の層（３０２）は、約０．２重量％〜約０．４重量％のカーボンブラックを含み得る。
【００５６】
いくつかの実施形態では、第１の層（３０１）および／または第２の層（３０２）は、本明細書でより詳細に記載されるように、射出成形（例えば、マルチショット成形）および／または機械加工を使用して形成され得る。いくつかの実施形態では、第１の層（３０１）および／または第２の層（３０２）は、超音波溶接、レーザ溶接、接着剤（例えば、接着テープ）、および／または溶剤結合のうちの１つ以上を使用して、回転子（１００）の他の層に結合され得る。例えば、レーザ溶接は、半導体ダイオードレーザ、固体Ｎｄ：ＹＡＧレーザ、およびファイバレーザのうちの１つ以上を使用し得る。
インレット
【００５７】
図４Ａ〜図４Ｂは、回転子のウェルセット、インレットセット、および反射器セットの詳細な平面図である。いくつかの実施形態では、本明細書に記載されたような回転子は、回転子のそれぞれのウェルとチャネルとの間に連結された概して放射状のインレット（例えば、チャネル）を画定し得る。インレットは、ウェルとチャネルとの間の液相および気相の連通を可能にするように構成され得る。例えば、回転子が回転される（例えば、遠心分離機によって）際に、流体は、チャネルおよび弧状空洞（例えば、保持チャンバ、収集チャンバ）に連結されたそれぞれのインレットを通してウェルに入り得る。インレットチャネルのうちのいくつかは、流体がウェルに入るための個設の第１の流路と、ガスがウェルを出るための個設の第２の流路と、を含み得る。これは、ウェル中のガスが逃げることを可能にし、したがって、ウェルが充填される際に、ウェル中の気泡の生成を制限し得る。
【００５８】
図４Ａの回転子（４００）の詳細な平面図に示されるように、回転子（４００）は、赤外線放射に対して吸収性であり得る実質的に不透明な層などの、本明細書に記載されるような第２の層（１０２、２０２、３０２、５０２、７０２）に構造的および／または機能的に類似する層（４０２）を含み得る。層（４０２）は、チャネル（４２０）、ウェル（４３０、４３３）セット、およびそれらの間に連結されたインレット（４３２、４３４）セットのうちの１つ以上を含む構造セットを画定し得る。インレット（４３２、４３４）セットの各インレットは、ウェル（４３０、４３３）セットの異なるウェルに対応し得る。インレット（４３０、４３３）セットの各インレットは、チャネル（４２０）とインレットの対応するウェルとの間の流体連通路を確立し得る。層（４０２）は、隣接するウェル（４３０）間に各反射器が配設された反射器（４４０）セットをさらに画定し得る。
【００５９】
いくつかの実施形態では、インレット（４３２、４３４）セットの少なくとも１つのインレットの幅は、チャネル（４２０）の幅よりも大きいことが可能である。いくつかの実施形態では、インレット（４３２、４３４）セットは、第１のインレット（４３２）サブセット（図４Ａを参照）および第２のインレット（４３４）サブセット（図４Ｂを参照）を含み得る。第１のインレット（４３２）サブセットの各インレットの幅は、第２のインレット（４３４）サブセットの各インレットの幅とは異なり得る。第２のインレット（４３４）サブセットは、低い回転数／分（ＲＰＭ）でチャネル（４２０）内の流体（例えば、液相および気相）の通気を可能にするように構成され得る。例えば、第２のインレット（４３４）サブセット内の流体の双方向流は、回転子（４００）の約５００ＲＰＭ〜約２５００ＲＰＭの回転中に生じ得る。第１のインレット（４３２）サブセットのインレットは、約４０００ＲＰＭを上回って回転する回転子のための双方向流体流を収容し得る。
【００６０】
いくつかの実施形態では、第２のインレット（４３４）サブセットに連結されたウェル（４３０、４３３）サブセットは、チャネル（４２２）（例えば、導管）に隣接または近接するチャネル（４２０）に沿って位置し得る。導管（４２２）に隣接または近接するウェル（４３０、４３３）は、他のウェル（４３０）が導管（４２２）からより遠くに配設される前に充填されるように構成され得る。回転子を、比較的低いＲＰＭ（例えば、約４０００ＲＰＭ未満）で回転させると、第１のインレット（４３２）セットの幅を有するインレットを使用する双方向流体流が発生しない場合がある。例えば、回転子の約１０００ＲＰＭでの回転中に第１のインレット（４３２）サブセットに連結されたウェル（４３０）に入る流体は、インレット（４３２）内の気泡を捕捉し、インレットがそのＲＰＭでの同時の液相フローおよび気相フローを可能にするほどには広くないため、ウェル（４３０）の不完全な充填をもたらし得る。しかしながら、第２のインレット（４３４）セットの幅を有するより広いインレットは、比較的低い回転数／分で液体および気体の双方向流を収容するように構成され、それにより、回転子（４００）中でより多くの数のウェル（４３０）を利用することを可能にし得る。いくつかの実施形態では、インレットセットは、回転する回転子ＲＰＭセットに対応する１、２、３、４、５、６以上の幅を含む異なる幅セットを含み得る。異なる幅を有するインレット（４３２、４３４）は、チャネル（４２０）に沿って任意の順序で提供され得る。
【００６１】
いくつかの実施形態では、第２のインレット（４３４）サブセットに連結されたウェル（４３０、４３３）は、試薬を含まない。いくつかの実施形態では、インレットセットの幅は、約０．２５ｍｍ〜約３．０ｍｍであり得、インレットセットの長さは、約０．５ｍｍ〜約６．０ｍｍであり得、インレットセットの深さは、約０．１ｍｍ〜約０．２５ｍｍであり得る。
【００６２】
任意の所与のＲＰＭでのウェルの比較的広いインレット幅は、ウェルを適切に充填するためにより大きい試料容積を必要とし得、かつウェル間の試薬および／または試料の相互汚染のリスクを増加させ得ることは理解されるはずである。いくつかの実施形態では、少なくとも１つの試薬を含む各ウェルは、第１のインレット（４３２）サブセットのインレット幅を有し得、試薬なしの各ウェルは、第２のインレット（４３４）サブセットのインレット幅を有し得る。
【００６３】
反射器（単数または複数）
いくつかの実施形態では、本明細書に記載されたような回転子は、ウェルセットから半径方向内側に位置決めされた反射器（例えば、反射表面）セットを含み得る。反射器セットは、隣接するウェルの光学分析のためのタイミング信号として使用される光ビームを受け取り、反射するように構成され得る。反射器によって受け取られ、反射された光ビームは、検出器によって受信され得る。制御デバイスは、反射器から受信された光信号を処理して、放射源を作動させ、ウェルの光路を通り抜けるように構成された光ビームをガイドし得る。例えば、反射器から受信された光ビームは、ウェルがすぐに放射源と検出器との間を通り得る（例えば、数マイクロ秒以内）ことを示し得る。図４Ｃは、図４Ａに描示された反射器（４４０）の断面側面図である。反射器（４４０）セットの各反射器は、ウェル（４３０）セットの隣接するウェル間に配設され得る。反射器（４４０）セットの各反射器は、プリズム形状の空洞を画定し得、本明細書で詳細に記載されるように、回転子の実質的に透明な層（例えば、第１の層（１０１、２０１、３０１）中に形成され得る。各プリズム形状の空洞は、反射表面を含み得る。反射器セットの各反射器は、光ビームを受け取り、約９０°だけ偏向させるように構成され得る（ただし、９０°とは異なる角度も使用され得る）。例えば、反射表面は、回転子の回転軸（例えば、回転子の平面に垂直な軸）に対して約４５°の角度に配向され得、回転子−空気界面で全反射を生成するように構成され得る。
【００６４】
いくつかの実施形態では、ポリッシュが、反射器（４４０）セットの各プリズム形状の空洞の反射表面の上に配設され得る。反射器の反射表面は、平均約０〜約３の表面粗さを有するポリッシュを含み得る。いくつかの実施形態では、反射器の幅は、約０．５ｍｍ〜約２．５ｍｍであり得、反射器の長さは、約２ｍｍ〜約３ｍｍであり得、回転子の平面に対する反射表面の角度は、約３０度〜約６０度であり得る。
【００６５】
弧状空洞
本明細書に記載されるような回転子は、試料受容チャンバの中に通じる開口部を通して試料を受容するように構成され得る。例えば、試料は、ピペットを使用して回転子の中に投入され得る。ピペットは、高速度で狭い先端を通して試料を出力するように構成され得、これにより、いくつかの従来の回転子の中に投入されるときの気泡および試料オーバーフローのうちの１つ以上が生成され得る。図５Ａは、回転子（５００）の弧状空洞（５１０）（例えば、試料受容チャンバ）の詳細な平面図である。図５Ｂは、図５Ａに描示された弧状空洞（５１０）の詳細な断面側面図である。回転子（５００）は、実質的に不透明な（例えば、赤外線放射に対して実質的に吸収性の）第２の層（５０２）に連結された実質的に透明な第１の層（５０１）を含み得る。弧状空洞（５１０）は、回転子（５００）のウェル（５３０）セットへの送達の前に流体を受容および保持するように構成され得る。
【００６６】
第２の層（５０２）は、チャネル（５２０）をさらに画定し得る。第１の層（５０１）および第２の層（５０２）は、本明細書でより詳細に記載されるように、回転子（５００）の他の構造（例えば、空洞、チャネル、穴、突起、突出）をさらに集合的に画定し得る。例えば、第２の層（５０２）は、本明細書で詳細に記載されるように、チャネル（５２０、５２２）セット、インレット（５３２）セット、ウェル（５３０）セット、および反射器（５４０）セットの１つ以上の部分を画定し得る。流体連通路が、回転子（５００）中の開口部、弧状空洞（５１０）、チャネル（５２０、５２２）セット、インレット（５３２）セット、およびウェル（５３０）セットの間に確立され得る。弧状空洞（５１０）は、開口部とチャネル（５２０）セットとの間の流体連通のために構成され得る。
【００６７】
図５Ａに示されるように、弧状空洞（５１０）の幅は、近位方向から遠位方向（例えば、図５Ａの時計回りの方向）に狭まり得る。いくつかの実施形態では、弧状空洞（５１１）は、約０．８〜約１．２の幅対深さ比を有し得る。弧状空洞（５１０）の幅および深さが概して類似するこの構成では、弧状空洞は、試料がピペットを使用して弧状空洞（５１０）の中に導入されるときの気泡および試料詰まりの発生を低減し得る。例えば、全血の試料は、試料受容チャンバの試料ポートを通して弧状空洞の中にピペットで移され得る。
【００６８】
その上、回転子（５００）の第２の層（５０２）は、弧状空洞（５１０）の「床」が実質的に不透明であるように、弧状空洞（５１０）の幅を形成し得る。その結果、回転子（５００）の中への試料の充填を補助し得る弧状空洞（５１０）中に全血などの試料が受容されるときに、容易に可視であるコントラストが形成され得る。
【００６９】
実質的に透明な第３の層（明確さのために図示せず）は、第２の層（５０２）に連結され、弧状空洞（５１０）の「天井」を形成し得る。第３の層は、弧状空洞（５１０）が開口部を通して流体を受容し得るように、弧状空洞（５１０）と位置整合した開口部（図示せず）を画定し得る。いくつかの実施形態では、弧状空洞（５１０）は、約１．０ｍｍ〜約１０ｍｍの深さを有し得、約５０μＬ〜約２００μＬの容積を画定し得る。このことは、弧状空洞中の開口部から試料をオーバーフローさせることなく、弧状空洞（５１０）の均一な配分および充填を補助し得る。
【００７０】
いくつかの実施形態では、弧状空洞は、流体を保持し、流体を別の物質と混合し、１つ以上の化学反応を生成するように構成され、かつ／または弧状空洞中の流体および／または他の物質を特性化するために使用され得る。いくつかの実施形態では、流体は、弧状空洞内の希釈剤または色素などの試薬と混合され得る。例えば、試薬は、液体または固体の形態（例えば、ビーズ、ペレットなど）で弧状空洞中に配設され得る。試薬は、側壁などの弧状空洞の表面に取り付けられ（例えば、コーティングされ）、および／または固体マトリックスに取り付けられ得る。弧状空洞内の化学反応として、異種免疫化学反応、および離散的なステップを有する化学反応が挙げられ得る。例えば、弧状空洞中に、沈殿物が、生じて沈殿し得る。その後、上澄みが、デカントされ得る。
【００７１】
いくつかの実施形態では、弧状空洞中の流体は、流体を特性化するために光学的に分析され得る。例えば、光ビームに曝露された弧状空洞中の流体は、ウェルセットの光学分析と同様の方式で検出および分析され得る光学効果を生成し得る。特に、流体密度、高さ、および体積のうちの１つ以上が、測定され得る。弧状空洞中の流体の特性は、ウェルセット中の流体と比較され得る。
【００７２】
導管
図６は、回転子（６００）のチャネル（６２２）の詳細な平面図である。回転子（６００）は、インレット（６２３）、Ｕ字形状の部分（６２５）、およびアウトレット（６２７）を含む導管（６２２）（例えば、サイフォン）などのチャネルセットを画定し得る。導管（６２２）は、試料受容空洞を混合空洞に連結するように構成され得る。導管（６２２）は、回転子が定位にあるときに（例えば、開口部とウェルセットとの間の）流体連通路を通して所定の体積の流体（例えば、血漿）を送達するように、かつ回転子が回転しているときに流体流を防止するように構成され得る。すなわち、回転子の１つ以上の導管は、計量された体積の流体を回転子中の所望の空洞に送達するように構成され得る。
【００７３】
いくつかの実施形態では、導管（６２２）は、回転子が回転しているときに、インレット（６２３）を通して導管（６２５）の中に引き込まれる流体が、Ｕ字形状の部分（６２５）（例えば、エルボ）を通って流れないように構成され得る。回転子が回転を停止した後、毛細管力が、Ｕ字形状の部分（６２５）を通して流体を引き込み得る。回転子を再び回転させる場合には、遠心力が、流体をアウトレット（６２７）から前進させ得る。導管（６２２）のＵ字形状の部分（６２５）は、インレット（６２３）およびアウトレット（６２７）よりも回転子（６００）の中心に近い（例えば、より半径方向内側）可能性がある。アウトレット（６２７）は、インレット（６２３）よりも回転子（６００）の周囲の近くに（例えば、より半径方向の外側に）延在し得る。
【００７４】
いくつかの実施形態では、回転子は、少なくとも１つの導管を含み得る。例えば、回転子は、試料受容チャンバを混合チャンバに、計量チャンバを混合チャンバに、および混合チャンバをチャネルに連結するように構成された３つの導管を含み得る。
【００７５】
容器穿刺機構
図７Ａは、回転子アセンブリ（７００）の例示的な分解図であり、図７Ｂは、回転子アセンブリ（７００）の第３の層（７０３）の詳細な斜視図である。回転子アセンブリ（７００）は、本明細書に記載されるように、回転子（１００、２００、３００、４００、５００、６００）と構造的および／または機能的に類似する回転子を含み得る。回転子アセンブリ（７００）は、第２の層（７０２）の第１の面（例えば、下面）に連結された第１の層（７０１）を含み得る。第１の層（７０１）および第２の層（７０２）は、ウェル（７３０）セットを集合的に画定し得る。回転子アセンブリ（７００）は、第２の層（７０２）の第２の面（例えば、上面）に連結され得る第３の層（７０３）を含み得る。第３の層（７０３）は、血液などの流体を受け取るように構成された開口部（７４０）を画定し得る。第３の層（７０３）は、第２の層（７０２）に向かって延在する突起（７１０）セットを含み得る。突起（７１０）セットは、回転子アセンブリ（７００）の第２の層（７０２）の空洞（７５２）内に配設された容器（７５０）を穿刺するのに好適な任意の数および形状を含み得る。空洞（７５２）は、例えば遠心分離機の主軸を受け取るように構成された穴（例えば、レセプタクル）を画定し得る。例えば、空洞（７５２）は、容器（７５０）を係合させ、かつ第３の層（７０３）の突起（７１０）セットに向けて容器を前進させるように構成され得る主軸のポストを受け取り得る。容器（７５０）は、空洞（７５２）中に保持され、かつ穴の上に配設されるようにサイズ決めおよび位置決めされ得る。
【００７６】
いくつかの実施形態では、回転子アセンブリ（７００）は、第３の層（７０３）の外面に連結され得る第４の層（７０４）を含み得る。第４の層（７０４）は、第３の層（７０３）の対応する穴（７９６）に嵌入するように構成された突起（７９４）セットを含み得る。第４の層（７０４）は、ウェル（７３０）セットを通した妨げられない光透過を可能にし、かつ／または重量を低減するように構成された開口部（７９２）セットを画定し得る。
【００７７】
いくつかの実施形態では、回転子（７００）は、容器を、第３の層（７０３）に向けて、かつ第２の層（７０２）から離れるように前進させることに応答して、容器（７５０）中に保持された流体（例えば、希釈剤）を放出するように構成され得る。容器（７５０）は、回転子（７００）の空洞（７５２）中に保持され得る。容器（７５０）の一部分は、第１の面上の膜（例えば、フォイルシール）、および第１の面とは反対側の第２の面上の剛性表面でシールされ得る。いくつかの実施形態では、膜は、例えば、回転子（７００）が遠心分離機（図示せず）に取り付けられており、かつ遠心分離機の一部分が容器（７５０）を突起（７１０）に押し込むときなどの、容器（７５０）を第３の層（７０３）に向けて前進させるときに、回転子アセンブリ（７００）の第３の層（７０３）の突起（７１０）セットによって穿刺されるように構成され得る。いくつかの実施形態では、回転子が主軸上に配置されるとき、主軸は、容器（７５０）の底部表面に接触し、底部表面を押し上げる。
【００７８】
容器
いくつかの実施形態では、容器は、希釈剤を保持し、かつ容器が中に配設された空洞に対して液密シールを形成し、かつ外力によって押されたときに空洞内で滑動するように構成され得る。いくつかの実施形態では、容器は、円筒形であり得る。図１５Ａは、本体（１５１０）およびシール（１５２０）（例えば、エラストマシール）を含む容器（１５００）の例示的な側面図である。図１５Ｄおよび図１５Ｅは、回転子アセンブリおよび容器の斜視図である。容器（１５００）の周縁の１つ以上の部分は、干渉嵌合により回転子（１５５０）の空洞（１５３０）中の壁と係合するように構成され得るエラストマ（例えば、ゴム）シール（１５２０）を含み得る。例えば、エラストマシール（１５２０）は、静止時の容器（１５１０）が回転子（１５５０）内の固定位置に留まり、かつ水密シールを形成するように構成され得る。ただし、主軸または他の突起によって係合されると、容器（１５００）は、回転子（１５５０）とのシールを維持しながら、回転子（１５５０）の第３の層（図示せず）に向かって上向きに前進し得る。容器（１５００）が突起によって穿刺されると、エラストマシール（１５２０）は、容器（１５００）の面に沿って、かつ空洞（１５３０）の底部表面の上に液体が流れるのを防止するように構成され得る。したがって、容器（１５００）のエラストマシール（１５２０）は、流体を失うことなく容器（７５０）から隣接する計量チャンバへの流体流を確保し得る。容器（１５００）内の流体は、遠心力および重力のうちの１つ以上によって容器（１５００）から流出し得る。
【００７９】
いくつかの実施形態では、容器（１５００）は、プラスチック、および高密度ポリエチレンなどの他のポリマー材料を含む流体バリア材料を構成要素とし得る。容器（１５００）は、成形、圧力成形、真空成形、および機械加工のうちの１つ以上によって製造され得る。例えば、容器は、ツーショット射出成形プロセスを使用して形成され得る。図１５Ｃは、容器（１５００）の本体（１５１０）およびシール（１５２０）の分解斜視図である。
【００８０】
容器本体（１５１０）は、図１５Ｂの１つの空洞で示されるように、１つ以上の空洞（例えば、区画、チャンバ）を画定し得る。容器（１５００）の各空洞は、同じまたは異なる内容物を有し得る。例えば、第１の空洞は、流体（例えば、希釈剤）を有し得る一方、第２の空洞は、凍結乾燥試薬を有し得る。各空洞は、同じまたは異なる流体を含有し得る。例えば、容器（７５０）の２つの空洞は、流体（例えば、希釈剤、試料、およびマーカ化合物）セットが混合された第２の層（７０２）の弧状空洞に連結され得る。
【００８１】
膜（例えば、フォイルシール）は、ポリエチレンまたは別のプラスチックで積層され得る。容器（１５００）の各空洞は、独自の膜を有し得る。容器（１５００）は、容器（１５００）を、所定の体積の流体（例えば、希釈剤、試薬）で充填し、かつ容器（１５００）を、例えば、ヒートシールおよび超音波溶接のうちの１つ以上によって閉鎖することによって製造され得る。
【００８２】
希釈液
本明細書に記載されるような回転子は、試料（例えば、流体、血漿）と混合される希釈剤を含み得る。希釈剤は、希釈剤容器に関して本明細書に記載されるように回転子内に配設され得るか、または回転子の弧状空洞の中に投入され得る。いくつかの実施形態では、希釈剤は、試料の分析に干渉しない化合物の等張濃度を含み得る。希釈剤は、生理食塩水（例えば、０．５％ＮａＣｌ水）、リン酸緩衝液、乳酸リンガー溶液、酢酸テトラメチルアンモニウム、イノシトール、マーカ化合物、それらの組み合わせなどのうちの１つ以上を含み得る。例えば、希釈剤は、特定のアッセイのｐＨでは実質的に緩衝液容量を有しない可能性がある。
【００８３】
試薬
試薬は、低温液体の中に滴として均一に分配された水溶液を形成し、かつ凍結滴を凍結乾燥することによって調製され得る。低温液体は、例えば、非撹拌液体窒素であり得る。試薬は、希釈剤、水溶液、緩衝液、有機化合物、脱水化学物質、結晶、タンパク質、溶媒、およびマーキング化合物のうちの１つ以上を含み得る。マーキング化合物は、色素、蛍光物質およびリン光物質、放射性標識物質、酵素、ビオチン、ならびに免疫学的化合物を含み得る。
【００８４】
いくつかの実施形態では、試薬は、約１．０ｍｍ〜約２．３ｍｍの直径を有する概して球形の形状を有し、約３％よりも小さい重量変動係数を有し得る。いくつかの実施形態では、凍結乾燥試薬は、試薬が溶解するときに気泡形成を阻害するのに十分な濃度の界面活性剤と、試薬の中に水を通すことができる化学格子の形成を促進するのに十分な濃度の充填剤と、のうちの１つ以上を含み得る。例えば、界面活性剤は、オクトキシノール９またはポリオキシエチレン９ラウリルエーテルなどの非イオン性洗剤であり得る。試薬中の界面活性剤の濃度は、再構成試薬中の濃度が１００ｍｌ当たり約０．０８ｇ〜約３．１ｇであるように構成され得る。充填剤によって形成された化学格子により、試薬が試料溶液または希釈剤中に迅速かつ完全に溶解することが可能になり得る。いくつかの実施形態では、充填剤は、ポリエチレングリコール、ミオイノシトール、ポリビニルピロリドン、ウシ血清アルブミン、デキストラン、マンニトール、コレートナトリウム、それらの組み合わせなどのうちの１つ以上を含み得る。充填剤は、約１０乾燥重量％〜約５０乾燥重量％の濃度を有し得る。
【００８５】
いくつかの実施形態では、測光的に検出可能なマーカ化合物は、色反応を生成するように構成され得、１，１’，３，３，３’，３’−ヘキサメチルインドトリカルボシアニンヨウ化物および１，１’−ビス（スルホアルキル）−３，３，３’，３’−テトラメチルリンドトリカルボシアニン塩を含み得る。マーカ化合物は、例えば、インサイチュで希釈を決定するために使用され得、測光的に検出可能な化合物を含み得る。マーカの濃度は、所定の波長での希釈試料の吸光度を既知の濃度の基準溶液と比較することによって、測光的に決定され得る。試料の希釈度を計算するために、試料との混合前および混合後のマーカの濃度の比を使用することができる。
【００８６】
マーカ化合物はまた、ｐ−ニトロフェニルリン酸、グルコース−６−リン酸デヒドロゲナーゼ、およびＤ−乳酸塩などの酵素基質を含み得る。化合物ｐ−ニトロフェニルリン酸は、アルカリホスファターゼのための基質であり、着色ｐ−ニトロフェノール反応生成物を生成するように構成され得る。
【００８７】
本明細書に記載された回転子に対するマイクロ流体の改善（例えば、インレット、ウェル、弧状空洞反射器、導管、容器穿刺機構、容器、希釈剤、試薬など）は、回転子の製造プロセスによって制限されないことに留意されたい。例えば、回転子は、超音波溶接および／またはレーザ溶接され得る。
【００８８】
ＩＩ．システム
流体分析システム
本明細書には、本明細書に記載された様々な実施形態によるデバイスを使用して流体分析を実施するために必要なコンポーネントのうちの１つ以上を含み得る流体分析システムが記載される。例えば、本明細書に記載された流体分析システムは、１つ以上の分析対象物を識別および／または分析するために、回転子デバイスに適用された試料を自動的に処理および分析し得る。一般に、本明細書に記載された流体分析システムは、回転子アセンブリ、放射源、検出器、およびコントローラ（メモリ、プロセッサ、およびコンピュータ命令を含む）のうちの１つ以上を含み得る。放射源は、光信号（例えば、光ビーム）を発するように、かつ回転子のウェルセットを照明するように構成され得る。検出器は、回転子を通り抜けた光ビームを受信するように構成され得る。検出器に連結されたコントローラは、検出器によって受信された光ビームに対応する信号データを受信し、かつ信号データを使用して分析対象物データを生成するように構成され得る。流体の１つ以上の分析対象物は、コントローラによって分析対象物データを使用して識別され得る。試料は、全血、血清、血漿、尿、痰、精液、唾液、眼球レンズ液、脳脊髄液、脊髄液、羊水、および組織培養培地、ならびに食品および工業用化学物質、それらの組み合わせなどのうちの少なくとも１つ以上を含み得る。
【００８９】
回転子製造システム
本明細書には、本明細書に記載された回転子デバイスを製造するために必要なコンポーネントのうちの１つ以上を含み得る、回転子製造システムが記載される。例えば、本明細書に記載された製造システムは、回転子アセンブリの１つ以上の層を合わせて連結（例えば、取り付け、溶接）し得る。一般に、本明細書に記載された製造システムは、１つ以上の回転子コンポーネントを保持するように構成されたプラットフォーム、放射源、フォトマスク、およびコントローラ（メモリ、プロセッサ、およびコンピュータ命令を含む）のうちの１つ以上を含み得る。いくつかの実施形態では、プラットフォームは、回転子を保持し、かつフォトマスクハウジング中に収容されたフォトマスクとの正確な位置整合および連結を提供するように構成された「フローティング」プラットフォームであり得る。放射源は、回転子アセンブリの１つ以上の層を合わせてレーザ溶接するための光信号（例えば、光ビーム）を発するように構成され得る。本明細書に記載されるような回転子デバイス（１００、２００、３００、４００、５００、６００、７００）のうちのいずれも、本明細書に記載されるような回転子製造システムを使用して製造され得る。
【００９０】
プラットフォーム
いくつかの実施形態では、フォトマスクは、レーザ溶接のために回転子を保持するように構成されたプラットフォームに位置整合され得る。マイクロ流体チャネルのサイズに起因して、フォトマスクを使用して回転子を適切にレーザ溶接するためには、フォトマスクと回転子とを正確に位置整合させる必要がある。フォトマスクと、溶接される各回転子部分と、の間の一貫したかつ適切な位置整合を確保するために、プラットフォームは、フォトマスクに平行な平面内で移動して、フォトマスクへの回転子の位置整合を補助するように構成され得る。例えば、フォトマスクは、固定位置に保持され得、回転子基部は、フォトマスクに対して「フロート」し得るプラットフォーム（例えば、ネスト、ステージ）上に保持されて、フォトマスクの回転子への位置決めおよびクランプを補助し得る。
【００９１】
図１６は、フォトマスクハウジングに面する側に、上に配設された第１の突起（１６２０）セットおよび第２の突起（１６３０）セットを有する溶接部ネスト（１６１０）を含み得るプラットフォーム（１６００）（例えば、「フローティングプラットフォーム」）の斜視図である（図１８を参照）。第１の突起（１６２０）セット（例えば、ガイドピン）は、フォトマスクハウジング中の対応する穴中に受け取られるように構成され得る。第２の突起（１６３０）セット（例えば、回転子位置整合ピン）は、回転子がプラットフォーム（１６００）上に保持されるように、回転子（１６００）中の対応する穴（例えば、陥凹）中に受け取られるように構成され得る。第１の突起セットおよび第２の突起セットは、各々少なくとも２つの突起を含み得る。プラットフォームは、プラットフォーム（１６００）の平面に沿って溶接部ネスト（１６１０）を移動させるように構成され得る、１つ以上の位置整合機構（１６４０）（例えば、調整ネジ）をさらに含み得、それにより第１の突起（１６２０）セットがフォトマスク連結と嵌着することを可能にする。位置整合機構（１６４０）は、手動で操作され得るか、または（例えば、制御デバイスによって動作させる）作動機構によって自動的に制御され得る。
【００９２】
図１７は、第１の層（１７１０）（例えば、第１のハウジング）、第２の層（１７２０）（例えば、ガラス板）、フォトマスク（１７３０）、および第３の層（１７４０）（例えば、第２のハウジング）を含むフォトマスクハウジング（１７００）の分解斜視図である。第１の層（１７１０）は、プラットフォーム（１６００）の第１の突起（１６２０）セットに対応するブッシング（１７５０）（例えば、ガイドブッシング）セットを含み得る。いくつかの実施形態では、フォトマスクハウジング（１７００）は、プラットフォーム（１６００）に対して固定され得る。この構成では、フローティングプラットフォームは、ブッシングおよび突起（例えば、ブッシングガイドピン、回転子位置整合ピン）が、互いに対して移動すること、かつフォトマスクが回転子に解放可能にクランプされ得るように互いに嵌合することを可能にする。図１８は、プラットフォーム（１６００）上に保持され、かつフォトマスクハウジング（１７００）に向けて前進され、フォトマスクハウジング（１７００）に解放可能にクランプされる位置にある、回転子（１８００）を例示する。プラットフォーム（１６００）は、フォトマスクハウジング（１７００）に垂直な軸に沿って作動され得る。いくつかの実施形態では、フォトマスクは、プラットフォームに連結された回転子の１つ以上の部分への赤外線放射を遮断するように構成され得る。
【００９３】
回転子検査システム
本明細書には、本明細書に記載された様々な実施形態による、回転子デバイスの溶接部分析を実施するために必要なコンポーネントのうちの１つ以上を含み得る回転子検査システムが記載される。例えば、本明細書に記載された検査システムは、回転子を光学的に撮像し、処理し、分析して、回転子の１つ以上の構造／構造的特徴に対応する回転子データを生成し得る。例えば、回転子データは、回転子の溶接部、構造（例えば、空洞、チャネル、ウェル）、および試薬のセットのうちの１つ以上に対応し得る。一般に、本明細書に記載された検査システムは、放射源（例えば、照明源）、検出器、およびコントローラ（メモリ、プロセッサ、およびコンピュータ命令を含む）のうちの１つ以上を含み得る。放射源は、光信号（例えば、光ビーム）を発するように、かつ回転子の１つ以上の構造を照明するように構成され得る。検出器は、回転子によって反射された光ビームを受信するように構成され得る。検出器に連結されたコントローラは、検出器によって受信された光ビームに対応する信号データを受信し、かつ信号データを使用して回転子データを生成するように構成され得る。回転子の１つ以上の構造が、回転子データを使用して識別および特性化され得る。例えば、低品質溶接部が所定数を超える回転子は、回転子検査システムによって不合格とマークされ得る。別の実施例として、所定数の壊れた凍結乾燥試薬球を有する回転子は、手動検査のためにフラグが立てられ得る。本明細書に記載されるような回転子デバイス（１００、２００、３００、４００、５００、６００、７００）のうちのいずれも、本明細書に記載されるような回転子検査システムを使用して検査され得る。
【００９４】
回転子アセンブリ
本明細書に記載されるような遠心分離回転子（１００、２００、３００、４００、５００、６００、７００）のうちのいずれも、本明細書に記載されるような流体分析システムと共に使用され得る。いくつかの実施形態では、回転子は、回転子に適用された試料の取り扱い、処理、および識別を補助するための第４の層を含み得る。回転子を保持する第４の層は、ユーザによって、試料の自動処理のために流体分析システムの中に配置され得る。第４の層は、回転子に物理的支持および保護を提供するのに有用であり得る。例えば、第４の層は、回転子の開口部の周囲にシールを形成し得る。いくつかの実施形態では、回転子ケースは、バーコード、ＱＲコード（登録商標）、および１つ以上の基準物（例えば、着色／不透明点、ルーラ、スリット、目印、マーカ）、それらの組み合わせなどの１つ以上の識別子を含み得る。
【００９５】
放射源
本明細書に記載されたような流体分析システムは、遠心分離回転子に誘導される第１の光信号（例えば、照明）を発するように構成された放射源を含み得る。放射源は、ＵＶ波長、可視波長、および／または近ＩＲ波長の光ビームを生成するように構成され得る。本明細書に記載された検出器は、遠心分離回転子から第２の光ビームを受信するように構成され得る。第２の光信号は、第１の光信号を使用してマイクロ流体チャネルの照明に応答して生成され得る。第２の光信号を使用して、分析のための分析対象物データを生成し得る。いくつかの実施形態では、放射源は、発光ダイオード、レーザ、顕微鏡、光センサ、レンズ、およびフラッシュランプのうちの１つ以上を含み得る。例えば、放射源が、光ファイバケーブルによって搬送され得る光を生成し得るか、または１つ以上のＬＥＤが、照明を提供するように構成され得る。別の例では、可撓性光ファイバの束を含むファイバスコープは、外部光源から光を受信および伝播するように構成され得る。
【００９６】
検出器
一般に、本明細書に記載された流体分析システムは、遠心分離回転子のウェル内の試料を通り抜ける光信号（例えば、光ビーム）を受信するために使用される検出器を含み得る。受信された光を使用して、プロセッサおよびメモリによって処理されて分析対象物データを生成し得る信号データを生成し得る。検出器は、遠心分離回転子の１つ以上のウェルを通り抜けた放射源からの光ビーム（例えば、第２の光信号）を検出器が受信するように、放射源の側とは反対側の遠心分離回転子の側上に配設され得る。検出器は、遠心分離回転子の１つ以上の識別子（例えば、バーコード）および識別子を撮像するようにさらに構成され得る。いくつかの実施形態では、検出器は、レンズ、カメラ、および測定光学系のうちの１つ以上を含み得る。例えば、検出器は、光センサ（例えば、電荷結合デバイス（ＣＣＤ）または相補的金属酸化物半導体（ＣＭＯＳ）光センサ）を含み得、ディスプレイに伝送される画像信号を生成するように構成され得る。例えば、検出器は、撮像センサ（例えば、カラーフィルタアレイおよび関連付けられた処理回路機構を有するか、または有しないＣＭＯＳまたはＣＣＤアレイ）を有するカメラを含み得る。
【００９７】
制御デバイス
本明細書に記載されたような流体分析システム、回転子製造システム、および回転子検査システムは、１つ以上の制御デバイス（例えば、コンピュータシステム）および／またはネットワークに連結し得る。図８Ｂは、制御デバイス（８２０）のブロック図である。制御デバイス（８２０）は、プロセッサ（８２４）およびメモリ（８２６）を有するコントローラ（８２２）を含み得る。いくつかの実施形態では、制御デバイス（８２０）は、通信インターフェース（８３０）をさらに含み得る。コントローラ（８２２）は、ユーザが、制御デバイス（８２０）、放射源（８１０）、遠心分離回転子アセンブリ（８１２）、検出器（８１４）、およびシステム（８００）の任意の他のコンポーネントを遠隔制御することを可能にするために、通信インターフェース（８３０）に連結され得る。通信インターフェース（８３０）は、制御デバイス（８２０）を有線および／または無線ネットワークを介して別のシステム（例えば、インターネット、リモートサーバ、データベース）に接続するように構成されたネットワークインターフェース（８３２）を含み得る。通信インターフェース（８３０）は、ユーザが制御デバイス（８２０）を直接制御することを可能にするように構成されたユーザインターフェース（８３４）を含み得る。
【００９８】
コントローラ
一般に、本明細書に記載された流体分析システムは、遠心分離回転子、ならびに放射源および検出器に連結された対応する制御デバイスを含み得る。いくつかの実施形態では、検出器は、信号データを生成するように構成され得る。信号データは、コントローラによって受信され、試料の１つ以上の分析対象物に対応する分析対象物データを生成するために使用され得る。制御デバイスは、それに応じて、試料の１つ以上の分析対象物を識別および／または特性化し得る。本明細書でより詳細に記載されるように、コントローラ（８２２）は、ネットワークインターフェース（８３２）を使用して１つ以上のネットワークに連結され得る。コントローラ（８２２）は、ユーザインターフェース（８３４）を含む通信インターフェース（８３０）に連結されたプロセッサ（８２４）およびメモリ（８２６）を含み得る。コントローラ（８２２）は、遠心分離回転子識別、処理、画像分析、および分析対象物分析の１つ以上のステップを自動的に実施し、したがって、流体分析の特異性、感度、および速度のうちの１つ以上を改善し得る。
【００９９】
コントローラ（８２２）は、プロセッサ（８２４）に、本明細書に記載されたステップのうちの１つ以上を実施させるように、コントローラ上での動作のためのコンピュータ命令を含み得る。いくつかの実施形態では、コンピュータ命令は、プロセッサに、検出器から信号データを受信することと、信号データを使用して分析対象物データを生成することと、分析対象物データを使用して流体の１つ以上の分析対象物を識別することと、を行わせるように構成され得る。いくつかの実施形態では、コンピュータ命令は、コントローラに撮像データパラメータを設定することを行わせるように構成され得る。コンピュータ命令は、コントローラに分析対象物データを生成することを行わせるように構成され得る。信号データおよび分析は、各遠心分離回転子の各ウェルについて保存され得る。
【０１００】
図８Ｂに描示されるように、制御デバイス（８２０）は、流体分析システム（８００）（例えば、放射源（８１０）、遠心分離回転子アセンブリ（８１２）、および検出器（８１４））と通信するコントローラ（８２２）を含み得る。コントローラ（８２２）は、１つ以上のプロセッサ（８２４）、および１つ以上のプロセッサ（８２４）と通信する１つ以上のマシン可読メモリ（８２６）を含み得る。プロセッサ（８２４）は、システム（８００）を制御するために、メモリ（８２６）およびユーザ入力から受信されたデータを組み込み得る。メモリ（８２６）は、プロセッサ（８２４）に、システム（８００）と関連付けられたモジュール、プロセス、および／または機能を実行することを行わせる命令をさらに記憶し得る。コントローラ（８２２）は、有線および／または無線通信チャネルによって、放射源（８１０）、遠心分離回転子アセンブリ（８１２）、検出器（８１４）、通信インターフェース（８３０）などのうちの１つ以上に接続され、かつこれらを制御し得る。
【０１０１】
コントローラ（８２２）は、多数の汎用または専用コンピューティングシステムまたは構成と一貫して実装され得る。本明細書に開示されたシステムおよびデバイスと共に使用するのに好適であり得る様々な例示的なコンピューティングシステム、環境、および／または構成は、ルーティング／接続性コンポーネント、マルチプロセッサシステム、マイクロプロセッサベースシステム、分散コンピューティングネットワーク、パーソナルコンピューティングデバイス、ネットワーク機器、ポータブル（例えば、ハンドヘルド）またはラップトップデバイスなどのサーバまたはサーバコンピューティングデバイス内にある、またはこれら上に具現化されるソフトウェアまたは他のコンポーネントを含み得るが、これらに限定されない。ポータブルコンピューティングデバイスの例として、スマートフォン、パーソナルデジタルアシスタント（ＰＤＡ）、携帯電話、タブレットＰＣ、スマートウォッチなどの形態をとるウェアラブルコンピュータ、ならびにセンサを介して患者の環境とインターフェース接続し、可視化、視線追跡、およびユーザ入力のためにヘッドマウントディスプレイを使用し得るポータブルまたはウェアラブル拡張現実デバイスが挙げられる。
【０１０２】
プロセッサ
プロセッサ（８２４）は、命令セットまたはコードを動作させおよび／または実行するように構成された任意の好適な処理デバイスであり得、１つ以上のデータプロセッサ、画像プロセッサ、グラフィック処理ユニット、物理処理ユニット、デジタル信号プロセッサ、および／または中央処理ユニットを含み得る。プロセッサ（８２４）は、例えば、汎用プロセッサ、フィールドプログラマブルゲートアレイ（ＦＰＧＡ）、特定用途向け集積回路（ＡＳＩＣ）、それらの組み合わせなどであり得る。プロセッサ（８２４）は、システムと関連付けられた、および／またはシステムと関連付けられたネットワークと関連付けられた、アプリケーションプロセスおよび／または他のモジュール、プロセスおよび／または機能を動作させおよび／または実行するように構成され得る。基礎となるデバイス技術は、相補的金属酸化物半導体（ＣＭＯＳ）のような金属酸化物半導体電界効果トランジスタ（ＭＯＳＦＥＴ）技術、エミッタ結合論理（ＥＣＬ）のようなバイポーラ技術、ポリマー技術（例えば、シリコン共役ポリマーおよび金属共役ポリマー−金属構造）、混載アナログおよびデジタル、それらの組み合わせなどを含む多様なコンポーネントタイプで提供され得る。
【０１０３】
メモリ
いくつかの実施形態では、メモリ（８２６）は、データベース（図示せず）を含み得、例えば、ランダムアクセスメモリ（ＲＡＭ）、メモリバッファ、ハードドライブ、消去可能プログラマブル読み取り専用メモリ（ＥＰＲＯＭ）、電気的消去可能読み取り専用メモリ（ＥＥＰＲＯＭ）、読み取り専用メモリ（ＲＯＭ）、フラッシュメモリ、それらの組み合わせなどであり得る。本明細書で使用される場合、データベースは、データストレージリソースを指す。メモリ（８２６）は、プロセッサ（８２４）に、較正、インデックス作成、遠心分離回転子信号処理、画像分析、分析対象物分析、通知、通信、認証、ユーザ設定、それらの組み合わせなどの、制御デバイス（８２０）と関連付けられたモジュール、プロセス、および／または機能を実行させる命令を記憶し得る。いくつかの実施形態では、ストレージは、ネットワークベースであり、１人以上の承認されたユーザに対してアクセス可能であり得る。ネットワークベースのストレージは、リモートデータストレージまたはクラウドデータストレージと呼ばれ得る。クラウドデータストレージ（例えば、データベース）に記憶された信号データおよび分析は、インターネットなどのネットワークを介して承認されたユーザに対してアクセス可能であり得る。いくつかの実施形態では、データベース（８４０）は、クラウドベースのＦＰＧＡであり得る。
【０１０４】
本明細書に記載されたいくつかの実施形態は、様々なコンピュータ実装動作を実施するための命令またはコンピュータコードを上に有する非一過性コンピュータ可読媒体（非一過性プロセッサ可読媒体とも呼ばれ得る）を有するコンピュータストレージ製品に関する。コンピュータ可読媒体（またはプロセッサ可読媒体）は、それ自体が一過性の伝播信号（例えば、空間またはケーブルなどの伝送媒体で情報を搬送する伝播電磁波）を含まないという意味で非一過性である。媒体およびコンピュータコード（コードまたはアルゴリズムとも呼ばれ得る）は、特定の１つまたは複数の目的で設計および構築されたものであり得る。
【０１０５】
非一過性コンピュータ可読媒体の例として、ハードディスク、フロッピーディスク、および磁気テープなどの磁気記録媒体、コンパクトディスク／デジタルビデオディスク（ＣＤ／ＤＶＤ）などの光記録媒体、コンパクトディスク読み取り専用メモリ（ＣＤ−ＲＯＭ）、ホログラフィックデバイス、光ディスクなどの磁気光記録媒体、ソリッドステートドライブ（ＳＳＤ）およびソリッドステートハイブリッドドライブ（ＳＳＨＤ）などのソリッドステートストレージデバイス、キャリア波信号処理モジュール、ならびに特定用途向け集積回路（ＡＳＩＣ）、プログラマブルロジックデバイス（ＰＬＤ）、読み取り専用メモリ（ＲＯＭ）、およびランダムアクセスメモリ（ＲＡＭ）デバイスなどのプログラムコードを記憶および実行するように特別に構成されたハードウェアデバイスが挙げられるが、これらに限定されない。本明細書に記載された他の実施形態は、例えば、本明細書に開示された命令および／またはコンピュータコードを含み得るコンピュータプログラム製品に関する。
【０１０６】
本明細書に記載されたシステム、デバイス、および方法は、ソフトウェア（ハードウェア上で実行される）、ハードウェア、またはそれらの組み合わせによって実施され得る。ハードウェアモジュールは、例えば、汎用プロセッサ（またはマイクロプロセッサまたはマイクロコントローラ）、フィールドプログラマブルゲートアレイ（ＦＰＧＡ）、特定用途向け集積回路（ＡＳＩＣ）、それらの組み合わせなどを含み得る。ソフトウェアモジュール（ハードウェア上で実行される）は、Ｃ、Ｃ＋＋、Ｊａｖａ（登録商標）、Ｐｙｔｈｏｎ、Ｒｕｂｙ、Ｖｉｓｕａｌ  Ｂａｓｉｃ（登録商標）、ならびに／または他のオブジェクト指向、手続き型、もしくは他のプログラミング言語および開発ツールを含む、多様なソフトウェア言語（例えば、コンピュータコード）で表現され得る。コンピュータコードの例として、マイクロコードまたはマイクロ命令、コンパイラによって生成されるなどのマシン命令、ウェブサービスを生成するために使用されるコード、およびインタプリタを使用してコンピュータによって実行されるより高いレベルの命令を内包するファイルが挙げられるが、これらに限定されない。コンピュータコードの追加の例として、制御信号、暗号化コード、および圧縮コードが挙げられるが、これらに限定されない。
【０１０７】
通信インターフェース
通信インターフェース（８３０）は、ユーザがシステム（８００）と直接および／またはリモートでインタラクトおよび／または制御することを可能にし得る。例えば、システム（８００）のユーザインターフェース（８３４）は、ユーザがコマンドを入力するための入力デバイス、およびユーザおよび／または他のユーザ（例えば、技術者）がシステム（８００）の動作に関連した出力を受け取る（例えば、ディスプレイデバイス上で試料データを視認する）ための出力デバイスを含み得る。いくつかの実施形態では、ネットワークインターフェース（８３２）は、制御デバイス（８２０）が、本明細書でより詳細に記載されるように、ネットワーク（８７０）（例えば、インターネット）、リモートサーバ（８５０）、およびデータベース（８４０）のうちの１つ以上と通信することを可能にし得る。
【０１０８】
ユーザインターフェース
ユーザインターフェース（８３４）は、ユーザ（例えば、オペレータ）と制御デバイス（８２０）との間の通信インターフェースとしての役割を果たし得る。いくつかの実施形態では、ユーザインターフェース（８３４）は、入力デバイスおよび出力デバイス（例えば、タッチスクリーンおよびディスプレイ）を含み得、１つ以上のセンサ、入力デバイス、出力デバイス、ネットワーク（８７０）、データベース（８４０）、およびサーバ（８５０）から入力データおよび出力データを受信するように構成され得る。例えば、検出器によって生成された信号データは、プロセッサ（８２４）およびメモリ（８２６）によって処理され、１つ以上の出力デバイス（例えば、ディスプレイ）によって視覚的に出力され得る。信号データ、画像データ、および／または分析対象物データは、ユーザインターフェース（８３４）によって受信され、１つ以上の出力デバイスを介して、視覚的に、聴覚的に、および／または触覚フィードバックを介して出力され得る。別の例として、入力デバイス（例えば、ジョイスティック、キーボード、タッチスクリーン）のユーザ制御が、ユーザインターフェース（８３４）によって受信され、次いで、制御信号を流体分析システム（８００）の１つ以上のコンポーネントに出力するためのユーザインターフェース（８３４）のためにプロセッサ（８２４）およびメモリ（８２６）によって処理され得る。いくつかの実施形態では、ユーザインターフェース（８３４）は、入力および出力の両方のデバイス（例えば、ユーザに触覚フィードバックも提供しながら、制御信号を生成するように構成されたハンドヘルドコントローラ）として機能し得る。
【０１０９】
出力デバイス
ユーザインターフェース（８３４）の出力デバイスは、試料および／またはシステム（８００）に対応する画像データおよび／または分析データを出力し得、ディスプレイデバイス、オーディオデバイス、および触覚デバイスのうちの１つ以上を含み得る。ディスプレイデバイスは、グラフィカルユーザインターフェース（ＧＵＩ）を表示するように構成され得る。ユーザコンソール（８６０）は、インターネットまたはネットワークを介してアクセス可能なリモートディスプレイを含む、１つ以上の包括的なディスプレイに出力するために接続され得る統合されたディスプレイおよび／またはビデオ出力を含み得る。出力データはまた、プライバシーを確保するために暗号化され得、出力データの全てまたは部分が、サーバまたは電子医療記録システムに保存され得る。ディスプレイデバイスは、ユーザが、コントローラ（８２２）によって処理される信号データ、較正データ、機能化データ、画像データ、分析対象物データ、システムデータ、流体データ、患者データ、および／または他のデータを視認することを可能にし得る。いくつかの実施形態では、出力デバイスは、発光ダイオード（ＬＥＤ）、液晶ディスプレイ（ＬＣＤ）、電気発光ディスプレイ（ＥＬＤ）、プラズマディスプレイパネル（ＰＤＰ）、薄膜トランジスタ（ＴＦＴ）、有機発光ダイオード（ＯＬＥＤ）、電子ペーパ／ｅインクディスプレイ、レーザディスプレイ、ホログラフィックディスプレイ、それらの組み合わせなどのうちの少なくとも１つを含むディスプレイデバイスを含み得る。
【０１１０】
オーディオデバイスは、患者データ、流体データ、画像データ、分析対象物データ、システムデータ、アラーム、および／または警告を可聴的に出力し得る。例えば、オーディオデバイスは、遠心分離回転子アセンブリの中への遠心分離回転子の不適切な挿入が発生すると、可聴警告を出力し得る。いくつかの実施形態では、オーディオデバイスは、スピーカ、圧電オーディオデバイス、磁気拡張スピーカ、および／またはデジタルスピーカのうちの少なくとも１つを含み得る。いくつかの実施形態では、ユーザは、オーディオデバイスおよび通信チャネルを使用して他のユーザと通信し得る。
【０１１１】
触覚デバイスが、ユーザに追加の感覚出力（例えば、力フィードバック）を提供するために、入力デバイスおよび出力デバイスのうちの１つ以上に組み込まれ得る。例えば、触覚デバイスは、入力デバイス（例えば、ジョイスティック、キーボード、タッチ表面）へのユーザ入力を確認するために、触感応答（例えば、振動）を生成し得る。いくつかの実施形態では、触覚デバイスは、ユーザに触覚触感フィードバックを提供するように構成された振動モータを含み得る。触覚フィードバックは、いくつかの実施形態では、遠心分離回転子処理の開始および完了を確認し得る。これに加えて、またはこれに代えて、触覚フィードバックは、遠心分離回転子アセンブリの中への遠心分離回転子の不適切な配置および／または挿入などのエラーをユーザに通知し得る。これにより、システムへの潜在的な危害が、防止され得る。
【０１１２】
入力デバイス
入力デバイスのいくつかの実施形態は、制御信号を生成するように構成された少なくとも１つのスイッチを含み得る。例えば、入力デバイスは、遠心分離回転子アセンブリの移動を制御するように構成され得る。いくつかの実施形態では、入力デバイスは、制御信号をコントローラ（８２２）の有線および／または無線受信機に伝送するように構成された有線および／または無線送信機を含み得る。例えば、入力デバイスは、ユーザが制御信号に対応する入力（例えば、タッチ表面への指接触）を提供するためのタッチ表面を含み得る。タッチ表面を含む入力デバイスは、容量技術、抵抗技術、赤外線技術、光学撮像技術、分散信号技術、音響パルス認識技術、および表面弾性波技術を含む複数のタッチ感度技術のうちのいずれかを使用して、タッチ表面上の接触および移動を検出するように構成され得る。少なくとも１つのスイッチを含む入力デバイスの実施形態では、スイッチは、例えば、ボタン（例えば、ハードキー、ソフトキー）、タッチ表面、キーボード、アナログスティック（例えば、ジョイスティック）、方向パッド、ポインティングデバイス（例えば、マウス）、トラックボール、ジョグダイヤル、ステップスイッチ、ロッカースイッチ、ポインタデバイス（例えば、スタイラス）、モーションセンサ、イメージセンサ、およびマイクロフォンのうちの少なくとも１つを含み得る。モーションセンサは、光センサからユーザ移動データを受信し、ユーザジェスチャを制御信号として分類し得る。マイクロフォンは、音声を受信し、ユーザの声を制御信号として認識し得る。
【０１１３】
ネットワークインターフェース
図８Ａに描示されるように、本明細書に記載された制御デバイス（８２０）は、ネットワークインターフェース（８３２）を介して１つ以上のネットワーク（８７０）およびコンピュータシステム（８５０）と通信し得る。いくつかの実施形態では、制御デバイス（８２０）は、１つ以上の有線および／または無線ネットワークを介して他のデバイスと通信し得る。ネットワークインターフェース（８３２）は、他のデバイスに直接に、またはネットワーク（例えば、インターネット、無線ＬＡＮ）を介して間接的に連結するように構成された１つ以上の外部ポート（例えば、ユニバーサルシリアルバス（ＵＳＢ）、マルチピンコネクタ）を介した他のデバイスとの通信を容易にし得る。
【０１１４】
いくつかの実施形態では、ネットワークインターフェース（８３２）は、１つ以上のデバイスおよび／またはネットワークと通信するように構成された無線周波受信機、送信機、ならびに／または光（例えば、赤外線）受信機および送信機を含み得る。ネットワークインターフェース（８３２）は、有線によって、および／または無線で、センサ、ユーザインターフェース（８３４）、ネットワーク（８７０）、データベース（８４０）、およびサーバ（８５０）のうちの１つ以上と通信し得る。
【０１１５】
いくつかの実施形態では、ネットワークインターフェース（８３２）は、１つ以上のデバイスおよび／またはネットワークと通信するように構成された受信機、送信機、ならびに／または光（例えば、赤外線）受信機および送信機のうちの１つ以上を含む無線周波（ＲＦ）回路機構（例えば、ＲＦ送受信機）を含み得る。ＲＦ回路機構は、ＲＦ信号（例えば、電磁信号）を受信および伝送し得る。ＲＦ回路機構は、電気信号から電磁信号への／電磁信号から電気信号への変換を行い、電磁信号を介して通信ネットワークおよび他の通信デバイスと通信する。ＲＦ回路機構は、アンテナシステム、ＲＦ送受信機、１つ以上の増幅器、チューナ、１つ以上の発振器、デジタル信号プロセッサ、ＣＯＤＥＣチップセット、加入者識別モジュール（ＳＩＭ）カード、メモリなどのうちの１つ以上を含み得る。無線ネットワークは、いかなる種類のケーブルによっても接続されていない任意のタイプのデジタルネットワークを指し得る。
【０１１６】
無線ネットワークにおける無線通信の例として、セルラ通信、ラジオ通信、衛星通信、およびマイクロ波通信が挙げられるが、これらに限定されない。無線通信は、グローバルモバイル通信システム（ＧＳＭ）、拡張データＧＳＭ環境（ＥＤＧＥ）、高速ダウンリンクパケットアクセス（ＨＳＤＰＡ）、広帯域コード分割多重アクセス（Ｗ−ＣＤＭＡ）、コード分割多重アクセス（ＣＤＭＡ）、時間分割多重アクセス（ＴＤＭＡ）、Ｂｌｕｅｔｏｏｔｈ、近接場通信（ＮＦＣ）、無線周波数識別（ＲＦＩＤ）、ワイヤレスフィデリティ（Ｗｉ−Ｆｉ）（例えば、ＩＥＥＥ８０２．１１ａ、ＩＥＥＥ８０２．１１ｂ、ＩＥＥＥ８０２．１１ｇ、ＩＥＥＥ８０２．１１ｎ）、ボイスオーバインターネットプロトコル（ＶｏＩＰ）、Ｗｉ−ＭＡＸ、電子メール用プロトコル（例えば、インターネットメッセージアクセスプロトコル（ＩＭＡＰ）、ポストオフィスプロトコル（ＰＯＰ））、インスタントメッセージング（例えば、拡張可能なメッセージングおよびプレゼンスプロトコル（ＸＭＰＰ）、インスタントメッセージング、プレゼンスレバレッジングのためのセッション開始プロトコル拡張（ＳＩＭＰＬＥ）、インスタントメッセージングおよびプレゼンスサービス（ＩＭＰＳ））、ショートメッセージサービス（ＳＭＳ）、または任意の他の好適な通信プロトコルを含む、複数の通信規格、プロトコルおよび技術のいずれかを使用し得るが、これらに限定されない。いくつかの無線ネットワーク展開は、複数のセルラネットワークからのネットワークを組み合わせるか、またはセルラ通信、Ｗｉ−Ｆｉ通信、および衛星通信の混合を使用する。
【０１１７】
いくつかの実施形態では、無線ネットワークは、インターネット、他のキャリア音声およびデータネットワーク、ビジネスネットワーク、ならびにパーソナルネットワークとインターフェース接続するために有線ネットワークに接続し得る。有線ネットワークは、典型的には、銅ツイストペア、同軸ケーブル、および／または光ファイバケーブルを介して搬送される。ワイドエリアネットワーク（ＷＡＮ）、メトロポリタンエリアネットワーク（ＭＡＮ）、ローカルエリアネットワーク（ＬＡＮ）、インターネットエリアネットワーク（ＩＡＮ）、キャンパスエリアネットワーク（ＣＡＮ）、インターネットのようなグローバルエリアネットワーク（ＧＡＮ）、無線パーソナルエリアネットワーク（ＰＡＮ）（例えば、Ｂｌｕｅｔｏｏｔｈ、Ｂｌｕｅｔｏｏｔｈ  Ｌｏｗ  Ｅｎｅｒｇｙ）、および仮想プライベートネットワーク（ＶＰＮ）を含む、多くの異なるタイプの有線ネットワークがある。本明細書で使用される場合、ネットワークは、統一されたネットワークおよび情報アクセスシステムを提供するために、典型的にインターネットを介して相互接続される無線、有線、パブリック、およびプライベートデータネットワークの任意の組み合わせを指す。
【０１１８】
ＩＩＩ．方法
本明細書には、全血などの流体を分析し、回転子を製造し、および回転子を検査するために回転子を使用する方法に対応する実施形態が記載される。これらの方法は、試料を識別および／または特性化し得、いくつかの実施形態では、記載されたシステムおよびデバイスと共に使用され得る。例えば、流体分析システムは、回転子上に配置された血液試料を分析および特性化し、１つ以上の分析対象物を識別し得る。一般に、生体試料が、回転子に投入され、回転子が、流体分析システムの中に配置され得る。次いで、システムは、試料がウェルセットに配分されるように、遠心力によって回転子を回転させ得る。ウェルセットは、システムによって光学的に分析され得、さらなる分析が、試料を特性化するために実施され得る。
【０１１９】
超音波溶接技術を使用して製造されたいくつかの従来の回転子は、回転子のキュベット間の不所望な試薬汚染に寄与し得る試薬ダストを生成し得る。例えば、回転子の部分が超音波溶接されるとき、キュベット内の試薬ビーズが、超音波振動し、試薬ダストを生成し得る。いくつかの場合では、試薬ダストは、キュベットから回転子のチャネルまたは他の空洞の中にマイグレートし得る。対照的に、本明細書に記載されたような製造方法は、複数の回転子層を溶接して、これらの欠点に対処し得、かつ流体分析システムと共に使用され得る回転子デバイスを形成し得る。検査方法は、回転子の１つ以上の態様を特性化し、製造品質に基づくなどして回転子を分類することを可能にし得る。
【０１２０】
流体分析
いくつかの実施形態では、流体を分析するための方法は、本明細書に記載されるような流体分析システムおよび／または回転子を使用し得る。本明細書に記載された方法は、光学分析技術に基づいて試料から分析対象物を迅速かつ容易に識別し得る。図９は、流体（９００）を分析する方法を概して例示するフローチャートである。本明細書に記載されたような回転子（１００、２００、３００、４００、５００、６００、７００）と構造的および／または機能的に類似する回転子が、本明細書に記載された流体分析ステップのうちの１つ以上で使用され得る。プロセスは、ステップ９０２で、試料を回転子に適用することを含み得る。いくつかの実施形態では、試料は、ヒトまたは動物などの被験者からの血液試料を含み得る。例えば、血液試料は、静脈からか、または指穿刺から採取され得る。試料／流体の体積は、例えば、約４０マイクロリットル〜約１００マイクロリットルであり得る。いくつかの実施形態では、回転子は、不浸透性フォイルポーチ中にパッケージ化され得、乾燥剤のパッケージをさらに含み得る。乾燥剤は、回転子内に配設された試薬に対する水分の影響を最小化し得る。試料は、回転子の試料ポートまたは開口部の中に投入され得る。
【０１２１】
ステップ９０４で、試料を有する回転子が、流体分析システムの中に配置（例えば、挿入）され得る。例えば、回転子は、流体分析システム（８００）の遠心分離機上に取り付けられるように構成され得る。回転子は、例えば、遠心分離機の垂直駆動シャフト上に取り付けるのに好適なレセプタクルまたは他の連結機構を含み得る。例えば、回転子は、流体分析システムの中に格納されるように、かつ主軸（例えば、シャフト）が回転子と解放可能に係合することを可能にするように構成された滑動プラットフォーム上へと配置され得る。いくつかの実施形態では、主軸は、回転子の空洞内の滑動可能な希釈剤容器を係合させ得、これにより、容器が、試料と混合するために容器から希釈剤を開封して回転子の他の空洞の中に誘導するように構成され得る。例えば、回転子内に配設された容器は、容器を穿刺するように構成された突起セットに向けてシャフトによって上方に押し上げられ得る。
【０１２２】
ステップ９０６で、回転子は、遠心分離機を使用して１つ以上の所定のレートで回転し得る。試料が血液を含む実施形態では、ステップ９０６で、血球が、遠心力によって、希釈された血漿から分離され得る。他の実施形態では、血漿からの血球の分離は、希釈前に行われ得る。いくつかの実施形態では、試料は、希釈剤と混合して実質的に均質な混合物を形成し得る。例えば、図１Ａに例示された回転子（１００）は、例えば、中間の全ての値およびサブ範囲を含む、約１，０００ＲＰＭ、約２，０００ＲＰＭ、約３，０００ＲＰＭ、約４，０００ＲＰＭ、約５，０００ＲＰＭ、約６，０００ＲＰＭなどの好適なＲＰＭで回転され得る。
【０１２３】
回転子が回転する際に、試料が、弧状空洞（１１０）から出得る一方、希釈剤が、計量チャンバ（１１２）の中に入る。希釈剤が計量チャンバ（１１２）から混合チャンバ（１１４）に流れる際に、試料は、ウェル（１５２）（例えば、赤血球ウェル）を充填し始め得る。回転する回転子の遠心力は、液体が１つ以上の導管のＵ字形状の部分を通ることを防止する。回転子が静止している（例えば、回転していない）とき、キャピラリー力により、試料（例えば、血漿）は、１つ以上の導管を通って流れることが可能になる。１回以上の回転サイクルを使用して、混合チャンバ（１１４）中に試料および希釈剤を送達および混合すると共に、混合希釈剤および試料をウェル（１３０）セットへの配分のためにチャネル（１２０）の中に送達し得る。
【０１２４】
分離および混合後、ステップ９０８で、試料流体は、遠心力により回転子の内部チャネルを通してウェルセットに配分され得る。いくつかの実施形態では、ウェルセットは、アッセイウェルセットを含み得、各ウェルは、１つ以上の試薬（例えば、凍結乾燥試薬、試薬ビーズ）、および基準ウェルセットを含む。化学反応が、アッセイウェル中の流体と試薬との間で生じ得る一方、血漿は、試薬との反応を受けることなく基準ウェルセットに入り得る。
【０１２５】
ウェルセット内の流体は、回転子が回転する間に光学的に分析され得る。例えば、アッセイウェル中で生じる化学反応は、測光的に分析され得る。ステップ９１０で、放射源（例えば、光源、照明源）を使用して、光ビームを回転子のウェルのうちの１つ以上を通して誘導し得る。放射源は、アークランプ、および／またはパルスレーザ、波長調整可能なソース、それらの組み合わせなどを含む他の高強度光源を含み得る。例えば、アークランプは、およそ５マイクロ秒の持続時間のフラッシュ中におよそ０．１ジュールのエネルギーを放電し得る。ウェルセット内の流体は、放射源から受け取られた光ビームを部分的に吸収し得る。光が吸収される程度は、光ビームの波長、および分析されるウェルの内容物に依存し得る。いくつかの実施形態では、放射源は、回転子の反射器から受信された光信号に基づいて作動され得る。例えば、反射器は、回転子の平面内で発せられた光ビームを受け取ることができ、これは、検出器に向けて垂直に方向転換され得る。検出器は、光ビームを受信し得、制御デバイスが、信号データを処理して、放射源を、回転子のウェルを通して所定の時間に光ビームを発するように制御し得る。
【０１２６】
ステップ９１２で、検出器（例えば、光センサ）を使用して、回転子の１つ以上のウェルを通り抜けた光を受信し得る。いくつかの実施形態では、検出器は、ビームスプリッタ、干渉フィルタ、および光検出器のうちの１つ以上を含む１つ以上の光学要素に連結され得る。光学要素は、光学検出経路（図示せず）を形成し得る。ステップ９１４での検出器は、ウェルのうちの１つ以上についての信号データを生成するように構成され得る。ステップ９１６で、信号データは、制御デバイスによって処理されて、試料の１つ以上の分析対象物を特性化し（例えば、定量化し）得る。いくつかの実施形態では、複数の試験が実施され得る（例えば、最大５０の異なる試験）。例えば、分析は、エンドポイント試験およびレート試験を含み得る。これに加えて、またはこれに代えて、イムノアッセイおよび他の特異的結合アッセイが、試験ウェル中で実施され得る。ただし、一般に、このようなアッセイ手順は一様である。いくつかの場合では、免疫学的反応ステップが発生した後に、試験ウェル中で血液が血漿から分離されるときに、異種アッセイシステムが使用され得る。血液アッセイは、グルコース、乳酸デヒドロゲナーゼ、血清グルタミコキサロ酢酸トランスアミナーゼ（ＳＧＯＴ）、血清グルタミン酸ピルビントランスアミナーゼ（ＳＧＰＴ）、血液尿素（窒素）（ＢＵＮ）、総タンパク質、アルカリ性、ホスファターゼ、ビリルビン、カルシウム、および塩化物のうちの１つ以上を含み得る。これらのアッセイのうちのいくつかは、１つ以上の試薬と組み合わされた血液血漿を使用して、血漿中の視覚的に検出可能な（例えば、測光的に検出可能な）変化を生成し得る。ステップ９１８で、実施された分析が、流体分析システムによって出力され得る。
【０１２７】
回転子製造
本明細書にはまた、本明細書に記載されるような流体分析システムの実施形態と共にいくつかの実施形態で使用され得る回転子を製造するための方法に対応する実施形態が記載される。本明細書に記載されるような回転子（１００、２００、３００、４００、５００、６００、７００）と構造的および／または機能的に類似する回転子は、本明細書に記載された製造ステップのうちの１つ以上を使用して製造され得る。例えば、ここに記載された方法は、射出成形およびレーザ溶接技術を使用して回転子デバイスを製造し得る。これらの方法を使用して製造された回転子は、回転子が、試薬汚染のリスク（例えば、ウェル内でのビーズダストの生成）を低減されること、ならびに品質、一貫性、スループット、および製造自動化のうちの１つ以上を改善されることなどの多数の利点を有し得る。
【０１２８】
一般に、本明細書に記載された方法は、回転子の層セットを形成および結合することを含む。例えば、回転子の基部が、ツーショット射出成形プロセスによるなどの、合わせて結合される第１の層および第２の層を含み得る。第１の層は、実質的に透明であり得る。第２の層は、赤外線放射に対して実質的に吸収性であり得る。第１の層および第２の層は、ウェルセットを画定し得る。さらに、第２の層は、本明細書でより詳細に記載されるように、チャネルおよび空洞のセットを画定し得る。回転子は、基部に位置整合した第３の層を含み得る。第３の層は、第３の層が実質的に透明であり得る流体を受け取るように構成された開口部を画定し得る。基部は、チャネルが開口部とウェルセットとの間の流体連通路を確立するように、赤外線放射を使用して第３の層に結合され（例えば、溶接され）得る。いくつかの実施形態では、１つ以上の追加の層が形成され、第３の層に結合され得る。
【０１２９】
図１０Ａは、回転子を製造する方法（１０００）を概して記載するフローチャートである。方法は、ステップ１００２で、第１の層を形成することと、ステップ１００４で、第２の層を形成することと、を含み得る。ステップ１００６で、第１の層および第２の層が、合わせて結合されて、回転子の基部を形成し得る。例えば、第１の層および第２の層は、図１０Ｂおよび図１１Ａ〜図１１Ｆに関してより詳細に記載されるように、マルチショット射出成形（例えば、逐次射出成形）を使用して、形成され、および合わせて結合され得る（ステップ１００２、１００４、１００６）。いくつかの実施形態では、第２の層に結合された第１の層は、ウェルセットを画定し得る。
【０１３０】
いくつかの実施形態では、第１の層および第２の層は、アクリル、ポリカーボネート、環状オレフィンコポリマー（ＣＯＣ）、ポリスチレン、およびアクリロニトリルブタジエンスチレン（ＡＢＳ）のうちの１つ以上を構成要素とし得る。第１の層は、実質的に透明であり得る。例えば、第１の層は、紫外線、可視光、および赤外線放射のうちの少なくとも１つに対して実質的に透明であり得る。第２の層は、少なくとも約０．１重量％のカーボンブラックを含み得る。例えば、第２の層は、約０．２％のカーボンブラックを含み得る。例えば、第２の層は、約０．４％のカーボンブラックを含み得る。例えば、第２の層は、約０．８％のカーボンブラックを含み得る。第２の層は、中間赤外線放射および近赤外線放射の少なくとも１つに対して実質的に吸収性であり得る。いくつかの実施形態では、第２の層は、少なくとも９４０ｎｍの波長の放射に対して実質的に吸収性であり得る。
【０１３１】
いくつかの実施形態では、回転子の第１の層および第２の層は、図１０Ｂのフローチャートに記載され、かつ図１１Ａ〜図１１Ｆに例示されたツーショット成形プロセス（１０２０）を使用して形成および結合され得る。図１１Ｂに例示されるように、ツーショット成形システム／アプローチは、金型の第１の半部（１１２０）および対応する金型の第２の半部（１１３０）を含み得る。金型の第１の半部（１１２０）は、第１の空洞（１１２２）および第２の空洞（１１２４）を含み得る。金型の第２の半部（１１３０）は、第１のコア（１１３２）および第２のコア（１１３４）を含み得る。第１の空洞（１１２２）の形状と第２の空洞（１１２４）の形状とは、異なり得る一方、第１のコア（１１３２）の形状と第２のコア（１１３４）の形状とは、同じであり得る。第１の空洞（１１２２）と第２の空洞（１１２４）との異なる形状により、材料の各注入（例えば、ショット）で異なる構造を形成することが可能になる。第１のコア（１１３２）と第２のコア（１１３４）とが同じ形状を有することにより、第１の層が、一貫した形状を有することを可能にする。金型の第１の半部（１１２０）および金型の第２の半部（１１３０）は、例えば、鋼で形成され得る。いくつかの実施形態では、金型の第１の半部（１１２０）および金型の第２の半部（１１３０）のうちのいずれか一方は、軸方向に移動し、かつ他方に対して回動するように構成され得る。例えば、図１１Ａ〜図１１Ｆの金型の第２の半部（１１３０）は、軸方向に移動し、かつ定位にある金型の第１の半部（１１２０）に対して旋回するように構成され得る。
【０１３２】
ツーショット成形プロセスは、金型の半部（１１２０、１１３０）の対を閉鎖し、かつ第１のコア（１１３２）の中に第１の材料（例えば、透明樹脂材料）を注入（例えば、シューティング）するステップ１０２２を含み得る。第１の回転子（１１４０）の第１の層は、金型（１１２０、１１３０）間に形成され、第１のコア（１１３２）および第１の空洞（１１２２）の形状によって画定され得る。
【０１３３】
ステップ１０２４で、金型の第２の半部（１１３０）は、金型の第１の半部（１１２０）から軸方向に離れるように移動して金型を開放し得る。第１の回転子（１１４０）の第１の層は、金型の第２の半部（１１３０）の第１のコア（１１３２）内に配設され得る。ステップ１０２６で、第１の空洞（１１２２）が、第２のコア（１１３４）と位置整合し、かつ第２の空洞（１１２４）が、第１の回転子（１１４０）の第１の層を有する第１のコア（１１３２）と位置整合するように、金型の第２の半部（１１３０）が、１８０度回動され（例えば、旋回され）得る。金型の第２の半部（１１３０）のこの回転により、第１の回転子（１１４０）の第１の層は、第１の層の上への第２の材料（例えば、炭素充填樹脂材料）の注入を受け取ることが可能になる。すなわち、第２の層は、第１の層と位置整合し得る。同時に、別個の回転子の第１の層が、隣接する第２のコア（１１３４）中に注入され得る。
【０１３４】
ステップ１０２８で、金型（１１２０、１１３０）の対が閉鎖され得、第１の材料が、第２のコア（１１３４）の中に注入され得る。第２の回転子（１１４２）の第１の層は、金型（１１２０、１１３０）間に形成され、第２のコア（１１３４）および第１の空洞（１１２２）の形状によって画定され得る。並行して、第２の材料（例えば、炭素充填樹脂材料）が、第１のコア（１１３２）の中に注入され得る。第１の回転子（１１４０）の第２の層が、金型（１１２０、１１３０）間に形成され、第１の層、第１のコア（１１３２）、および第２の空洞（１１２４）の形状によって画定され得る。すなわち、第２の層は、マルチショット射出成形を使用して形成され、第１の層に結合され得る。
【０１３５】
本明細書でより詳細に記載されるように、第２の空洞（１１２４）および金型の第２の半部（１１３０）は、第１の材料と第２の材料との間にシールを作製し得るシャットオフセットを形成し、かつ回転子（例えば、ウェルセット）の構造的特徴の形成を補助するように構成され得る。例えば、第２の空洞（１１２４）の金属表面は、材料の注入を防止するように、および／または支持体を作製するように構成されたシャットオフを画定するために、回転子の第１の層と係合し得る。特に、ウェルセットの各ウェルは、第２の空洞（１１２４）が係合して、第２の材料がフラッシュまたはブリードすることを防止するように構成されたバリアを作製し得る、第１の層の先細りした側壁表面（例えば、図３Ｂ）を含み得る。このようにして、１つ以上の空隙（例えば、ウェル）が、回転子中に形成され得る。
【０１３６】
ステップ１０３０で、金型の第２の半部（１１３０）は、金型を開放するために、金型の第１の半部（１１２０）から軸方向に離れるように移動し得る。図１１Ｅに示されるように、第２の回転子（１１４２）の第１の層は、金型の第２の半部（１１３０）の第２のコア（１１３４）内に配設され得る。第１の層および第２の層を有する第１の回転子（１１４０）は、第２の空洞（１１２４）内に配設され得る。ステップ１０３２で、第１の空洞（１１２２）が、第１のコア（１１３２）と位置整合し、第２の空洞（１１２４）が、第２の回転子（１１４２）の第１の層を有する第２のコア（１１３４）と位置整合するように、金型の第２の半部（１１３０）は、１８０度回動され（例えば、旋回され）得る。ステップ１０３４で、合わせて結合された第１の層および第２の層（例えば、回転子基部）を有する第１の回転子（１１４０）が、第２の空洞（１１２４）から取り出され得る。プロセスは、追加の回転子を製造するためにステップ１０２８（例えば、図１１Ｄ）に戻り得る。他の実施形態では、第２の材料（例えば、炭素充填樹脂）は、第１の材料（例えば、透明樹脂材料）をシューティングする前にショットされ得る。
【０１３７】
図１０Ａを再び参照すると、ステップ１００８で、凍結乾燥試薬セットが、ウェルセットの中に配置され得る。例えば、第１のウェルセットは、空であり得、第２のウェルセットは、異なる凍結乾燥試薬を含み得、第３のウェルセットの各ウェルは、複数の凍結乾燥試薬を含み得る。
【０１３８】
ステップ１０１０で、第３の層が、形成され得る。例えば、第３の層は、射出成形によって形成され得る。第３の層は、アクリル、ポリカーボネート、環状オレフィンコポリマー（ＣＯＣ）、ポリスチレン、およびアクリロニトリルブタジエンスチレン（ＡＢＳ）のうちの１つ以上を構成要素とし得る。第３の層は、実質的に透明であり得る。例えば、第３の層は、紫外線、可視光、および赤外線放射のうちの少なくとも１つに対して実質的に透明であり得る。
【０１３９】
ステップ１０１２では、第１の層および第２の層は、回転子のチャネルが開口部とウェルセットとの間の流体連通路を確立するように、赤外線放射を使用して第３の層に結合され得る。例えば、第１の層および第３の層は、第２の層にレーザ溶接され得る。レーザ溶接は、半導体ダイオードレーザ、固体Ｎｄ：ＹＡＧレーザ、およびファイバレーザのうちの１つ以上を使用して実施され得る。いくつかの実施形態では、ダイオードレーザは、約９４０ｎｍの波長を有する光ビームを生成し得る。
【０１４０】
ステップ１０１２は、回転子基部（例えば、第２の層に結合された第１の層）を第３の層に位置整合させることを含み得る。いくつかの実施形態では、フォトマスクは、回転子基部および第３の層に位置整合し得る。いくつかの実施形態では、フォトマスクは、固定位置に保持され得、回転子基部は、プラットフォーム（例えば、ネスト、ステージ）上に保持され得る。例えば、フォトマスクは、プラットフォーム（例えば、フローティングプラットフォーム）を使用して回転子基部にクランプされ得る。プラットフォームは、回転子基部をフォトマスクに向けて移動させ、かつフォトマスクを回転子基部に位置整合させるように構成され得る。いくつかの実施形態では、フォトマスクは、回転子基部および第３の層の１つ以上の部分への赤外線放射を遮断するように構成され得る。適切な溶接を確保にするために回転子とフォトマスクとの間に必要とされる正確な許容公差に起因して、プラットフォームは、フォトマスクへの回転子の位置整合を補助するために、フォトマスクと平行な平面内で移動するように構成され得る。フローティングプラットフォームにより、ブッシングおよび突起（例えば、ブッシングガイドピン、回転子位置整合ピン）が、互いに対して移動し、かつフォトマスクが回転子に解放可能にクランプされ得るように互いに嵌合することが可能になる。例えば、図１６〜図１８に関して本明細書で詳細に記載されるように、フォトマスクおよびプラットフォームのうちの一方は、フォトマスクおよびプラットフォームのうちの他方の対応する突起セットに嵌合するように構成されたブッシングセットを含み得る。
【０１４１】
いくつかの実施形態では、赤外線放射は、レーザビームとして構成され得る。いくつかの実施形態では、レーザビームは、ラインビーム、点状（例えば、スポット）ビーム、フィールド（例えば、平面）ビームなどのうちの１つ以上であり得る。レーザビームは、フォトマスク、回転子基部、および第３の層の上に出力され得る。例えば、ラインビームは、フォトマスクを通り越し得る。フォトマスクは、回転子溶接部のパターンを画定するように構成され得る。フォトマスクを通り抜けた赤外線放射を受け取る回転子の部分では、第２の層の表面が、赤外線放射を吸収し、第２の層と接触している第３の層の表面との溶接部を形成し得る。所定の波長（例えば、９４０ｎｍ）を有するラインビームは、フォトマスクを通り越して、所定の出力で約１秒〜約２秒で回転子中にレーザ溶接部を形成し得る。レーザ溶接部に隣接する回転子のいくつかの部分では、熱膨張に起因して、第２の層と第３の層との間に約１μｍ〜約１０μｍのギャップが形成され得る。
【０１４２】
いくつかの実施形態では、フォトマスクは、凍結乾燥試薬セットの少なくとも１つの凍結乾燥試薬の上でレーザビームを遮断するように構成され得る。これは、試薬の構造的および化学的完全性を補助し得る。これに加えて、またはこれに代えて、レーザビームは、凍結乾燥試薬セットの少なくとも１つの他の凍結乾燥試薬の上に出力され得る。回転子中に配設された凍結乾燥試薬のうちのいくつかは、試薬の物理的および化学的完全性を維持しながら、所定の波長、電力、および時間で赤外線放射を受け取るように構成され得る。例えば、いくつかの試薬は、約９４０ｎｍで約１秒間〜約２秒間赤外線放射に曝露されると、フォトマスクされた試薬と実質的に同一に機能し得る。
【０１４３】
他の実施形態では、第１の層および第２の層は、超音波溶接、接着剤（例えば、接着テープ）、および／または溶剤結合のうちの１つ以上を使用して結合され得る。
【０１４４】
ステップ１０１４で、第４の層が、形成され得る。例えば、第４の層は、射出成形によって形成され得る。例えば、第４の層は、本明細書に記載されるような第４の層（２０４、７０４）と構造的および／または機能的に類似し得る。ステップ１０１６で、第４の層は、第３の層に連結され得る。例えば、第４の層は、第３の層に超音波溶接され得る。
【０１４５】
回転子検査
また、本明細書には、本明細書に記載されるような流体分析システムの実施形態と共にいくつかの実施形態で使用され得る回転子を検査するための方法に対応する実施形態が記載される。本明細書に記載された方法は、光学撮像技術および光学分析技術を使用して、回転子デバイス（例えば、レーザ溶接された回転子）を検査し得る。これは、回転子の１つ以上の特性を定量化するなどの、多数の利点を有し得る。例えば、１つ以上の回転子溶接部、試薬球、およびウェルが、一貫した、繰り返し可能な、および自動化された品質制御プロセスの一部として分析および検証され得る。これは、品質によるなどの回転子を分類するのに有用であり得る。
【０１４６】
図１２は、回転子（１２００）を検査する方法を概して記載するフローチャートである。本明細書に記載されるような回転子（１００、２００、３００、４００、５００、６００、７００）と構造的および／または機能的に類似する回転子は、本明細書に記載された検査ステップのうちの１つ以上を使用して検査され得る。例えば、回転子は、ウェルセットを集合的に画定するために、ツーショット射出成形によるなど、第２の層（１０２、２０２、３０２、４０２、５０２、７０２）に連結された第１の層（１０１、２０１、３０１、５０１）を含み得る。第１の層は、実質的に透明であり得る。第２の層は、チャネルを画定し得る。第２の層は、赤外線放射に対して実質的に吸収性であり得る。第３の層が、流体を受け取るように構成された開口部を画定し得る。第３の層は、実質的に透明であり、レーザ溶接によるなど、第２の層に連結され得る。
【０１４７】
ステップ１２０２で、回転子が、１つ以上の光センサに位置整合し得る。いくつかの実施形態では、１つ以上の光センサは、回転子の平面図、底面図、斜め図、および／または側面図を生成するように構成され得る。いくつかの実施形態では、１つ以上の放射源が、撮像される回転子の部分を照明するように構成され得る。例えば、回転子は、拡散軸方向照明を使用して照明され得る。いくつかの実施形態では、回転子は、撮像中に回転され得る。
【０１４８】
ステップ１２０４で、回転子画像セットが、光センサのうちの１つ以上を使用して生成され得る。例えば、図１３Ａおよび図１３Ｂは、平面図の視点からの回転子の構造的特徴を例示する回転子の部分の例示的な画像（１３００、１３５０）である。画像は、回転子全体または回転子の一部分のものであり得る。いくつかの実施形態では、画像は、側面視および底面視のいずれかから撮影され得る。ステップ１２０６で、１つ以上の回転子特性が、回転子画像セットから識別され得る。回転子画像の画像分析が、結合情報（例えば、データ）を生成するために実施され得る。いくつかの実施形態では、結合情報は、取得された画像データと基準データセットとの間で実施された比較の結果を含み得る。結合情報は、第２の層と第３の層との間に形成された縁部セットを含み得る。例えば、縁部の予期しない不連続性は、不完全な溶接部を示し得る。図１３Ａに示されるように、回転子の第１の部分（１３１０）は、回転子の第２の部分（１３２０）よりも高い強度値を有し得る。例えば、回転子の第１の部分（１３１０）は、第１の画素強度範囲（例えば、０〜２５５のグレースケール範囲で４０〜８０）を有し得、回転子の第２の部分（１３２０）は、第２の画素強度範囲（例えば、グレースケールで１００〜１４０）を有し得る。第１の部分（１３１０）と第２の部分（１３２０）との間のコントラストの差は、第２の部分（１３２０）内の空気に起因し得る。第１の部分（１３１０）は、回転子の溶接部分に対応し得る一方、第２の部分（１３２０）は、チャネル、ウェル、空洞、インレット、および製造欠陥のうちの１つ以上を含む回転子の非溶接部分に対応し得る。完全に透明な回転子は、このような可視であるコントラストを有する回転子画像を生成しない可能性がある。
【０１４９】
図１３Ｂでは、回転子の第１の部分（１３６０）は、回転子の第２の部分（１３７０、１３８０）よりも低い強度値を有する。第１の部分（１３６０）は、溶接部の縁部に対応し得る一方、第２の部分は、空洞（１３７０）および溶接部分（１３８０）などの回転子の構造に対応し得る。結合情報は、縁部セット中の１つ以上のギャップを含み得る。例えば、回転子内の各位置に対する、取得された画像（１３００、１３５０）と基準画像セットとの間の強度値の差を使用して、１つ以上のギャップを識別し得る。これらの差の各々は、欠陥として識別され、結合情報に含まれ得る。
【０１５０】
ステップ１２０８で、回転子は、識別された回転子特性を使用して分類され得る。欠陥の数、サイズ、形状、および場所は、定量化され得、所定の閾値セットと比較され得る。例えば、いくつかの欠陥は、所定の閾値を下回るサイズ、回転子の完全性および／または機能性への影響が最小限となる領域中の場所のうちの１つ以上を有し得る。他の欠陥は、不合格、使用の規制（例えば、ヒトの使用ではなく、動物の使用に承認される）、許容可能、発売の制限、二次検査の必要性、手動検査などのうちの１つ以上としての分類をもたらし得る。すなわち、複数の品質分類があり得る。例えば、空洞、ウェル、チャネル、インレットなどから隔離された不完全な溶接部は、外装不良として分類され得る。いくつかの場合では、チャネル、ウェル、空洞、およびインレットの形状を変化させる不完全な溶接部は、表面上の欠陥または軽微な欠陥として分類され得る。他の場合では、異なる構造を合わせて接続する不完全な溶接部は、重大な欠陥として分類され得る。例えば、２つの導管を直接合わせて接続するか、または２つのウェルを直接合わせて接続する不完全な溶接部は、回転子が重大な欠陥を有するとして分類され得るように、回転子のマイクロ流体性能を改変し得る。いくつかの実施形態では、欠陥の数、サイズ、形状、および場所の組み合わせを使用して、回転子を分類し得る。高品質の回転子には、異なるチャンバ間に新たな流体流路を作製する不完全な溶接部がない。
【０１５１】
これに加えて、またはこれに代えて、ステップ１２１０で、１つ以上の試薬特性が、識別され得る。例えば、試薬画像セットが、光センサのうちの１つ以上を使用して生成され得る。図１４Ａおよび図１４Ｂは、試薬を有する回転子のウェルの例示的な画像（１４００、１４５０）である。図１４Ａは、２つの凍結乾燥試薬（１４２０）が中に配設されたウェル（１４１０）の側面図である。図１４Ｂは、少なくとも１つの凍結乾燥試薬（１４７０）が中に配設されたウェル（１４７０）の平面図である。
【０１５２】
ウェル画像の画像分析が実施されて、試薬情報（例えば、データ）を生成し得る。いくつかの実施形態では、試薬情報は、取得された画像データと基準データセットとの間で実施された比較の結果を含み得る。試薬情報は、色データと、試薬のサイズおよび形状を画定する縁部セットと、を含み得る。例えば、試薬情報を使用して、複数の断片に破砕された試薬球および／または１つ以上の開裂部分を有する凍結乾燥試薬球を識別し得る。
【０１５３】
ステップ１２１２で、試薬は、試薬情報を使用して分類され得る。欠陥の数、サイズ、形状、および場所は、定量化され得、所定の閾値セットと比較され得る。例えば、いくつかの欠陥が、所定の限度から外れたサイズおよび／または形状のうちの１つ以上を有し得る。欠陥は、不合格、許容可能、発売の制限、二次検査の必要性、使用の規制（例えば、ヒトの使用ではなく、動物の使用に承認される）、表面上、手動検査などのうちの１つ以上としての分類をもたらし得る。すなわち、複数の品質分類があり得る。いくつかの実施形態では、欠陥の数、サイズ、形状、および場所の組み合わせを使用して、試薬および／または回転子を分類し得る。
【０１５４】
ステップ１２１４で、回転子および／または試薬分析は、検査システムによって出力され得る。いくつかの実施形態では、ディスプレイが、回転子および検査結果を列挙し得る。これに加えて、またはこれに代えて、聴覚音（例えば、ビープ音）セットが出力されて、回転子および／または試薬検査の結果を示し得る。分析はまた、本明細書に記載されるようなリモートデータベースに記憶され得る。
【０１５５】
本明細書で使用される場合、数値および／または範囲と併せて使用されるときの用語「約」および／または「およそ」は、一般に、それらの数値および／または範囲が、引用された数値および／または範囲に近いことを指す。いくつかの事例では、用語「約」および「およそ」は、引用された値の±１０％以内を意味し得る。例えば、いくつかの事例では、「約１００［単位］」は、１００の±１０％以内（例えば、９０〜１１０）を意味し得る。用語「約」および「およそ」は、互換的に使用され得る。
【０１５６】
以上の説明は、説明の目的で、本明細書に開示された様々な発明および実施形態の完全な理解を提供するために、特定の命名法を使用した。しかしながら、開示された発明および実施形態を実践するために、特定の詳細が必要とされないことは、当業者には明らかであろう。したがって、本発明の特定の実施形態、およびその対応する実施形態の以上の説明は、例示および説明の目的で提示される。それらは、網羅的であること、または本発明を開示された形態そのものに限定することは意図されておらず、明らかに、上記の教示を考慮して多くの変更および実施形態が可能である。実施形態は、本発明の原理、その対応する実施形態、および実用的な用途を最も良く説明するために、選択および記載されたものであり、この結果、当業者は、想到される特定の使用に好適であるように、本発明および様々な変更を伴う様々な実装態様を最も良く利用することが可能である。以下の特許請求の範囲およびそれらの均等物は、本発明の範囲を定義することが意図される。
【０１５７】
加えて、本明細書に開示された２つ以上のこのような特徴、構造、システム、物品、材料、キット、ステップ、および／または方法の任意の組み合わせは、このような特徴、構造、システム、物品、材料、キット、ステップ、および／または方法が相互に矛盾していない場合、本開示の発明の範囲内に含まれる。その上、本明細書に開示された様々な発明のいくつかの実施形態は、参考文献または参考文献の組み合わせに見出される１つ以上の特徴／要素／機能性を特定的に欠くために、従来技術と区別可能であり得る（すなわち、このような実施形態を対象とする特許請求の範囲は、否定的な限定を含み得る）。
【０１５８】
本出願の任意の箇所で提示される、特許、特許出願、論文、ウェブページ、書籍などを含むが、これらに限定されない刊行物または他の文書に対するありとあらゆる参照は、それらの全体が参照によって本明細書に組み込まれる。その上、本明細書で定義および使用されるような全ての定義は、辞書定義、参照によって組み込まれる文書中の定義、および／または定義された用語の通常の意味を統制するように理解されるものとする。
【図１Ａ】
2021535372.tif 000003
【図１Ｂ】
2021535372.tif 000004
【図２Ａ】
2021535372.tif 000005
【図２Ｂ】
2021535372.tif 000006
【図２Ｃ】
2021535372.tif 000007
【図３Ａ】
2021535372.tif 000008
【図３Ｂ】
2021535372.tif 000009
【図４Ａ】
2021535372.tif 000010
【図４Ｂ】
2021535372.tif 000011
【図４Ｃ】
2021535372.tif 000012
【図５Ａ】
2021535372.tif 000013
【図５Ｂ】
2021535372.tif 000014
【図６】
2021535372.tif 000015
【図７Ａ】
2021535372.tif 000016
【図７Ｂ】
2021535372.tif 000017
【図８Ａ】
2021535372.tif 000018
【図８Ｂ】
2021535372.tif 000019
【図９】
2021535372.tif 000020
【図１０Ａ】
2021535372.tif 000021
【図１０Ｂ】
2021535372.tif 000022
【図１１Ａ】
2021535372.tif 000023
【図１１Ｂ】
2021535372.tif 000024
【図１１Ｃ】
2021535372.tif 000025
【図１１Ｄ】
2021535372.tif 000026
【図１１Ｅ】
2021535372.tif 000027
【図１１Ｆ】
2021535372.tif 000028
【図１２】
2021535372.tif 000029
【図１３Ａ】
2021535372.tif 000030
【図１３Ｂ】
2021535372.tif 000031
【図１４Ａ】
2021535372.tif 000032
【図１４Ｂ】
2021535372.tif 000033
【図１５Ａ】
2021535372.tif 000034
【図１５Ｂ】
2021535372.tif 000035
【図１５Ｃ】
2021535372.tif 000036
【図１５Ｄ】
2021535372.tif 000037
【図１５Ｅ】
2021535372.tif 000038
【図１６】
2021535372.tif 000039
【図１７】
2021535372.tif 000040
【図１８】
2021535372.tif 000041
【国際調査報告】
2021535372.tif 000042
2021535372.tif 000043
2021535372.tif 000044
2021535372.tif 000045
2021535372.tif 000046